(57)【要約】【課題】同一の特別遊技状態であっても特別遊技状態を実行中であることを示す情報を遊技機外部に送信する場合と送信しない場合とを分けることで、所定の場合は特別遊技状態の遊技の履歴を残さないようにすることが可能な遊技機を提供する。【解決手段】一般遊技状態と一般遊技から移行可能な特別遊技状態と、役抽選により押し順役に当選した場合に当該押し順を遊技者に報知不可能な不許可区間と不許可区間から移行可能であり当該押し順を遊技者に報知可能な許可区間と、遊技機の状況を示す情報を遊技機外部に送信する外部送信手段とを備え、外部送信手段は許可区間中に一般遊技状態から特別遊技状態へ移行した場合は当該特別遊技状態を実行中であることを示す情報を遊技機外部に送信し、不許可区間中に一般遊技状態から特別遊技状態へ移行した場合は当該特別遊技状態を実行中であることを示す情報を遊技機外部に送信しないようにしていることを特徴とする。【選択図】図１３
2018114114.tif 000002
【特許請求の範囲】
【請求項１】
複数の図柄を変動表示可能な複数の回転リールと、
前記回転リールの図柄の変動表示を開始させるためのスタートスイッチと、
前記複数の回転リールの各々に対応して設けられ、前記複数の回転リールの図柄の変動表示の開始後、遊技者の操作により前記回転リールの図柄の変動表示を停止させるための複数のストップスイッチと、
役に当選するか否かの役抽選を行う役抽選手段と、
通常の遊技が行われる一般遊技状態と、前記一般遊技状態から移行可能な特別遊技状態と、
前記役抽選により予め定められた押し順で前記ストップスイッチの操作がされた場合に入賞となる押し順役に当選した場合に、当該押し順を遊技者に報知不可能な不許可区間と、前記不許可区間から移行可能であり、当該押し順を遊技者に報知可能な許可区間と、
遊技機の状況を示す情報を遊技機外部に送信する外部送信手段とを備え、
前記外部送信手段は、
前記許可区間中に前記一般遊技状態から前記特別遊技状態へ移行した場合は、当該特別遊技状態を実行中であることを示す情報を遊技機外部に送信し、
前記不許可区間中に前記一般遊技状態から前記特別遊技状態へ移行した場合は、当該特別遊技状態を実行中であることを示す情報を遊技機外部に送信しないようにしていることを特徴とする遊技機。
【請求項２】
前記不許可区間中に前記一般遊技状態から移行した前記特別遊技状態中は、当該不許可区間から前記許可区間へは移行しないようにしていることを特徴とする請求項１に記載の遊技機。
【請求項３】
前記一般遊技状態中に行われた前記役抽選により予め定められた特別役に当選し、当該特別役に対応した図柄が予め定められた有効ライン上に停止表示された場合に、前記特別遊技状態に移行可能に設定されるとともに、当該特別役に対応した図柄が予め定められた有効ライン上に停止表示されなかった場合に、当該特別役の当選情報を次遊技以降に持ち越し可能に形成され、
前記特別役は、複数種類設けられ、当該複数種類の特別役の少なくとも１個の特別役に対応した図柄は、前記ストップスイッチの操作タイミングを問わず前記有効ライン上に停止表示可能に前記回転リールに配列されていることで、前記特別役の当選情報を次遊技以降に持ち越すことがないように設定されていることを特徴とする請求項１又は２に記載の遊技機。
【請求項４】
前記役抽選手段は、複数段階の設定値毎に予め定められた抽選確率で役に当選するか否かの役抽選を行い、
前記役抽選手段による前記少なくとも１個の特別役の抽選確率は、前記設定値の段階が高いほど、高くなるように設定されていることを特徴とする請求項３に記載の遊技機。
【請求項５】
複数の図柄を変動表示可能な複数の回転リールと、
前記回転リールの図柄の変動表示を開始させるためのスタートスイッチと、
前記複数の回転リールの各々に対応して設けられ、前記複数の回転リールの図柄の変動表示の開始後、遊技者の操作により前記回転リールの図柄の変動表示を停止させるための複数のストップスイッチと、
役に当選するか否かの役抽選を行う役抽選手段と、
通常の遊技が行われる一般遊技状態と、前記一般遊技状態から移行可能な特別遊技状態と、
前記役抽選により予め定められた押し順で前記ストップスイッチの操作がされた場合に入賞となる押し順役に当選した場合に、当該押し順を遊技者に報知不可能な不許可区間と、前記不許可区間から移行可能であり、当該押し順を遊技者に報知可能な許可区間と、
遊技機の状況を示す情報を遊技機外部に送信する外部送信手段とを備え、
前記外部送信手段は、
前記許可区間中に前記一般遊技状態から前記特別遊技状態へ移行した場合は、当該特別遊技状態を実行中であることを示す情報を遊技機外部に送信し、
前記不許可区間中に前記一般遊技状態から前記特別遊技状態へ移行した場合は、当該特別遊技状態を実行中であることを示す情報を遊技機外部に送信しないようにしており、
前記役抽選手段は、複数段階の設定値毎に予め定められた抽選確率で役に当選するか否かの役抽選を行い、
前記役抽選手段による予め定められた特別役の抽選確率は、複数段階の前記設定値のうち、少なくとも１部の設定値の段階では、当該設定値の段階によって差が設けられており、
前記不許可区間から前記許可区間へは、前記役抽選により、前記設定値による差が設けられていない抽選確率が設定されている役に当選したことに基づいて移行が決定され、
前記許可区間は、少なくとも規定の遊技区間を消化することにより終了し、
前記規定の遊技区間を消化する前に、前記設定による差が設けられていない所定の抽選に基づいて当該許可区間を終了して前記許可区間から前記不許可区間へ移行するように設定されており、
前記許可区間中であり、且つ前記一般遊技状態中では、遊技者に特典を付与する特典付与抽選が可能に設定されていることを特徴とする遊技機。
【請求項６】
前記役抽選により当選した役に対応した図柄が、予め定められた有効ライン上に停止表示された場合に利益を付与する利益付与手段を備え、
前記押し順役には、前記利益付与手段により付与される利益の異なる役が含まれ、
前記特別遊技状態は、前記役抽選により前記押し順役に当選し、当該押し順役に対応した図柄が予め定められた有効ライン上に所定回数停止表示されることにより終了するように設定されていることを特徴とする請求項１〜５のいずれか１項に記載の遊技機。
【発明の詳細な説明】
【技術分野】
【０００１】
この発明は、遊技機に関するものである。
【背景技術】
【０００２】
従来、所定の抽選に当選することにより、特別遊技状態に移行する遊技機が知られている。
そして、遊技機が設定される島設備に、遊技者が遊技する遊技機を選択する際の目安とするため、遊技機の稼働状況を表示するデータ表示器を備え、遊技機は、特別遊技状態に移行した場合に、データ表示器に当該特別遊技状態への移行を示す信号を出力している。
ここで、遊技者に与えられる特典の異なる複数の特別遊技状態を備える遊技機においては、当該特別遊技状態へ移行したことを示す信号を直ちにデータ表示器へ出力する特別遊技と、さらに他の条件を満たした場合に出力する特別遊技状態とを備えたものがある（特許文献１）。
【先行技術文献】
【特許文献】
【０００３】
【特許文献１】特開2014-131702号公報
【発明の概要】
【発明が解決しようとする課題】
【０００４】
しかし、特許文献１の先行技術は、特別遊技状態の種類によって、信号の出力タイミングを変動させるものであり、同一の特別遊技状態の場合に、信号の出力を変動することができないという問題点があった。
そこで、各請求項にそれぞれ記載された各発明は、上記した従来の技術の有する問題点に鑑みてなされたものであり、その目的とするところは、次の点にある。
【０００５】
すなわち、本発明は、同一の特別遊技状態であっても、特別遊技状態を実行中であることを示す情報を遊技機外部に送信する場合と、送信しない場合とを分けることで、所定の場合は特別遊技状態の遊技の履歴を残さないようにすることが可能な遊技機に関するものである。
【課題を解決するための手段】
【０００６】
各請求項にそれぞれ記載された各発明は、上記した目的を達成するためになされたものであり、各発明の特徴点を図面に示した発明の実施の形態を用いて、以下に説明する。
本発明に係る遊技機は、複数の図柄を変動表示可能な複数の回転リールと、前記回転リールの図柄の変動表示を開始させるためのスタートスイッチと、前記複数の回転リールの各々に対応して設けられ、前記複数の回転リールの図柄の変動表示の開始後、遊技者の操作により前記回転リールの図柄の変動表示を停止させるための複数のストップスイッチと、役に当選するか否かの役抽選を行う役抽選手段と、通常の遊技が行われる一般遊技状態と、前記一般遊技状態から移行可能な特別遊技状態と、前記役抽選により予め定められた押し順で前記ストップスイッチの操作がされた場合に入賞となる押し順役に当選した場合に、当該押し順を遊技者に報知不可能な不許可区間と、前記不許可区間から移行可能であり、当該押し順を遊技者に報知可能な許可区間と、遊技機の状況を示す情報を遊技機外部に送信する外部送信手段とを備え、前記外部送信手段は、前記許可区間中に前記一般遊技状態から前記特別遊技状態へ移行した場合は、当該特別遊技状態を実行中であることを示す情報を遊技機外部に送信し、前記不許可区間中に前記一般遊技状態から前記特別遊技状態へ移行した場合は、当該特別遊技状態を実行中であることを示す情報を遊技機外部に送信しないようにしていることを特徴とする。
【０００７】
ここで、「特別遊技状態」には、ボーナスなどの遊技状態を含むが、これに限定されない。
また、「特別遊技状態」は、１種類ではなく、複数種類設けられても良い。この場合には、全ての「特別遊技状態」において本発明のような情報の送信制御を採用しても良いし、一部の「特別遊技状態」において本発明のような情報の送信制御を採用するようにしても良い。
【０００８】
また、「特別遊技状態を実行中であることを示す情報を遊技機外部に送信する」には、特別遊技状態中であるときに特別遊技状態を実行中であることを示す情報を遊技機外部への送信を連続的・断続的に継続することが含まれる。また、特別遊技状態中以外で情報を送信し、特別遊技状態中では情報を送信しないことで特別遊技状態を実行中であることを示す場合には、特別遊技状態を実行中であることを示す情報を遊技機外部に送信しないようにすることも含む。
【０００９】
また、「特別遊技状態を実行中であることを示す情報を遊技機外部に送信しない」には、特別遊技状態中であるときに特別遊技状態を実行中であることを示す情報を遊技機外部へ一切出力しないことが含まれる。また、特別遊技状態中以外で情報を送信し、特別遊技状態中では情報を送信しないことで特別遊技状態を実行中であることを示す場合には、情報を送信することで特別遊技状態を実行中であることを示す場合には、遊技機外部に送信するようにすることも含む。
【００１０】
また、「一般遊技状態から特別遊技状態へ移行した」には、一般遊技状態でも特別遊技状態でもない他の遊技状態（例えば内部当選遊技状態）を介することなく、一般遊技状態の最後の遊技の次の遊技から特別遊技状態が開始された、ことが望ましいが、他の遊技状態を介して移行する場合も含む。
【００１１】
これにより、同一の特別遊技状態であっても、特別遊技状態を実行中であることを示す情報を遊技機外部に送信する場合と、送信しない場合とを分けることで、所定の場合は特別遊技状態の遊技の履歴を残さないようにすることが可能な遊技機を提供することができる。
すなわち、不許可区間中に特別遊技状態へ移行した場合は、特別遊技状態として扱わず、遊技機に接続されたデータ表示器などに特別遊技状態の実行回数に関する履歴を残さないようにしている。そのため、後でデータ表示器を見たとしても特別遊技状態の実行回数が分からず、設定値の推測を困難にすることが可能となる。
【００１２】
また、本発明に係る遊技機の具体例としては、さらに、前記不許可区間中に前記一般遊技状態から移行した前記特別遊技状態中は、当該不許可区間から前記許可区間へは移行しないようにしていることを特徴とする。
ここで、「不許可区間から前記許可区間へは移行しないようにしている」には、所定の抽選により許可区間への移行を決定する場合、当該抽選自体を実行しないことも含まれるが、抽選自体は実行するが、許可区間への移行を決定する抽選結果が得られても、許可区間へ移行させる処理は実行しないようにしても良い。
【００１３】
これにより、特別遊技状態中に不許可区間から許可区間へは移行させないようにして、実行中の特別遊技状態の途中で遊技機外部への特別遊技状態中であることを示す情報を送信することを防ぐことが可能な遊技機を提供することができる。
また、不許可区間から許可区間へ移行しないため、不許可区間中に開始された特別遊技状態を不許可区間として維持し、特別遊技状態の途中から許可区間へ変更させないようにすることが可能となる。
【００１４】
また、本発明に係る遊技機の具体例としては、さらに、前記一般遊技状態中に行われた前記役抽選により予め定められた特別役に当選し、当該特別役に対応した図柄が予め定められた有効ライン上に停止表示された場合に、前記特別遊技状態に移行可能に設定されるとともに、当該特別役に対応した図柄が予め定められた有効ライン上に停止表示されなかった場合に、当該特別役の当選情報を次遊技以降に持ち越し可能に形成され、前記特別役は、複数種類設けられ、当該複数種類の特別役の少なくとも１個の特別役に対応した図柄は、前記ストップスイッチの操作タイミングを問わず前記有効ライン上に停止表示可能に前記回転リールに配列されていることで、前記特別役の当選情報を次遊技以降に持ち越すことがないように設定されていることを特徴とする。
これにより、役抽選により特別役に当選した場合は、必ず対応した図柄を停止表示させて入賞させることができ、次遊技から特別遊技状態に移行させることが可能な遊技機を提供することができる。
【００１５】
すなわち、本発明では、特別役の当選情報が次遊技以降に持越し可能になった状態を特別役内部当選状態とすると、当選情報を持ち越すことがないように設定された特別役に当選すると、特別役内部当選状態を経ることなく、当該特別役に当選した遊技の次の遊技から特別遊技状態へ移行させる、とすることも可能である。
ここで、特別役内部当選状態では、役抽選における再遊技役の当選確率を一般遊技状態よりも高く設定することで、特別役に対応した図柄が有効ライン上に揃うまでの、遊技者の損失を軽減することができる。
しかし、この様な場合、一般遊技状態よりも再遊技役が頻繁に成立するため、遊技者に特別役内部当選状態に滞在していること、引いては特別遊技状態への移行が察知される恐れがある。すると、特別遊技状態へ移行されるのに、外部機器側でボーナスがカウントされない状況になるため、遊技者が不信感を抱くことになりかねない。
この様な事態を避けるため、外部へ送信しない今回の特別遊技状態では、特別遊技状態への移行が遊技者に察知される要因となる特別役内部当選状態を発生させずに、特別遊技状態へ速やかに移行させことで、特別遊技状態へ移行したにもかかわらず、外部機器（データ表示器）側でカウントされない状況であっても、そもそも遊技者に察知され難いため、不信感を与えることがないようにしている。
【００１６】
また、本発明に係る遊技機の具体例としては、さらに、前記役抽選手段は、複数段階の設定値毎に予め定められた抽選確率で役に当選するか否かの役抽選を行い、前記役抽選手段による前記少なくとも１個の特別役の抽選確率は、前記設定値の段階が高いほど、高くなるように設定されていることを特徴とする。
これにより、設定値の段階が高いほど特別役に当選されやすくすることができ、特別遊技状態に移行しやすくすることが可能な遊技機を提供することができる。
すなわち、特別遊技状態を実行可能な遊技区間に設定値による差を設けない場合であっても、特別遊技状態への移行に設定値による差を設けることが可能となる。
【００１７】
また、本発明に係る遊技機の具体例としては、複数の図柄を変動表示可能な複数の回転リールと、前記回転リールの図柄の変動表示を開始させるためのスタートスイッチと、前記複数の回転リールの各々に対応して設けられ、前記複数の回転リールの図柄の変動表示の開始後、遊技者の操作により前記回転リールの図柄の変動表示を停止させるための複数のストップスイッチと、役に当選するか否かの役抽選を行う役抽選手段と、通常の遊技が行われる一般遊技状態と、前記一般遊技状態から移行可能な特別遊技状態と、前記役抽選により予め定められた押し順で前記ストップスイッチの操作がされた場合に入賞となる押し順役に当選した場合に、当該押し順を遊技者に報知不可能な不許可区間と、前記不許可区間から移行可能であり、当該押し順を遊技者に報知可能な許可区間と、遊技機の状況を示す情報を遊技機外部に送信する外部送信手段とを備え、前記外部送信手段は、前記許可区間中に前記一般遊技状態から前記特別遊技状態へ移行した場合は、当該特別遊技状態を実行中であることを示す情報を遊技機外部に送信し、前記不許可区間中に前記一般遊技状態から前記特別遊技状態へ移行した場合は、当該特別遊技状態を実行中であることを示す情報を遊技機外部に送信しないようにしており、前記役抽選手段は、複数段階の設定値毎に予め定められた抽選確率で役に当選するか否かの役抽選を行い、前記役抽選手段による予め定められた特別役の抽選確率は、複数段階の前記設定値のうち、少なくとも１部の設定値の段階では、当該設定値の段階によって差が設けられており、前記不許可区間から前記許可区間へは、前記役抽選により、前記設定値による差が設けられていない抽選確率が設定されている役に当選したことに基づいて移行が決定され、前記許可区間は、少なくとも規定の遊技区間を消化することにより終了し、前記規定の遊技区間を消化する前に、前記設定による差が設けられていない所定の抽選に基づいて当該許可区間を終了して前記許可区間から前記不許可区間へ移行するように設定されており、前記許可区間中であり、且つ前記一般遊技状態中では、遊技者に特典を付与する特典付与抽選が可能に設定されていることを特徴とする。
【００１８】
ここで、「特別遊技状態」には、ボーナスなどの遊技状態を含むが、これに限定されない。
また、「特別遊技状態」は、１種類ではなく、複数種類設けられても良い。この場合には、全ての「特別遊技状態」において本発明のような情報の送信制御を採用しても良いし、一部の「特別遊技状態」において本発明のような情報の送信制御を採用するようにしても良い。
【００１９】
また、「特別遊技状態を実行中であることを示す情報を遊技機外部に送信する」には、特別遊技状態中であるときに特別遊技状態を実行中であることを示す情報を遊技機外部への送信を連続的・断続的に継続することが含まれる。また、特別遊技状態中以外で情報を送信し、特別遊技状態中では情報を送信しないことで特別遊技状態を実行中であることを示す場合には、特別遊技状態を実行中であることを示す情報を遊技機外部に送信しないようにすることも含む。
【００２０】
また、「特別遊技状態を実行中であることを示す情報を遊技機外部に送信しない」には、特別遊技状態中であるときに特別遊技状態を実行中であることを示す情報を遊技機外部へ一切出力しないことが含まれる。また、特別遊技状態中以外で情報を送信し、特別遊技状態中では情報を送信しないことで特別遊技状態を実行中であることを示す場合には、情報を送信することで特別遊技状態を実行中であることを示す場合には、遊技機外部に送信するようにすることも含む。
【００２１】
また、「一般遊技状態から特別遊技状態へ移行した」には、一般遊技状態でも特別遊技状態でもない他の遊技状態（例えば内部当選遊技状態）を介することなく、一般遊技状態の最後の遊技の次の遊技から特別遊技状態が開始された、ことが望ましいが、他の遊技状態を介して移行する場合も含む。
【００２２】
また、「前記設定値による差が設けられていない抽選確率が設定されている役に当選したことに基づいて」には、当該役に当選した際に行われる移行抽選に当選した場合や、当該役に当選すると移行抽選をすることなく移行が決定される場合が含まれが、これに限定されない。
また、「規定の遊技区間」には、所定のゲーム数、例えば１５００ゲームが含まれるが、これに限定されない。
また、「前記設定による差が設けられていない所定の抽選に基づいて」には、役抽選の結果を参照しない抽選に基づいて不許可区間に移行する場合や、設定値による差が設けられていない抽選確率が設定されている役の当選を契機に実行される抽選、例えば転落抽選の結果に基づいて不許可区間に移行する場合も含むが、これに限定されない。
また、「特典付与抽選」には、チャンスゾーンからＡＴ状態への移行抽選や、ＡＴ遊技の初期ゲーム数獲得抽選などが含まれるが、これに限定されない。
【００２３】
これにより、設定値がどの段階の設定値に設定されている場合であっても、許可区間への移行や終了は影響を受けないことになり、一定の安定した利益を受けることが可能となるとともに、許可区間中は特別遊技状態への移行に設定値の影響を受けるため、遊技機選択を楽しむことができ、次の日も来店する動機付けとすることが可能な遊技機を提供することができる。
【００２４】
また、本発明に係る遊技機の具体例としては、さらに、前記役抽選により当選した役に対応した図柄が、予め定められた有効ライン上に停止表示された場合に利益を付与する利益付与手段を備え、前記押し順役には、前記利益付与手段により付与される利益の異なる役が含まれ、前記特別遊技状態は、前記役抽選により前記押し順役に当選し、当該押し順役に対応した図柄が予め定められた有効ライン上に所定回数停止表示されることにより終了するように設定されていることを特徴とする。
これにより、特別遊技状態を実行可能な遊技区間をゲーム数ではなく、入賞回数により管理することが可能な遊技機を提供することができる。
すなわち、特別遊技状態であり且つ許可区間である場合では、押し順役の当選時にストップスイッチの押し順が報知されることにより、より多くの利益を得られる役の入賞の可能性が高くなるが、特別遊技状態ではあるが許可区間ではない場合は、押し順役に当選した場合であってもストップスイッチの押し順が報知されることはなく、多くの利益を得られる役の入賞の可能性が低くなり、遊技区間は同じであっても、遊技者が得られる利益に差を生じさせることが可能となる。
【図面の簡単な説明】
【００２５】
【図１】本発明の第１の実施の形態であって、遊技機の概略正面図である。
【図２】本発明の第１の実施の形態であって、図柄の配列を説明するための説明図である。
【図３】本発明の第１の実施の形態であって、有効ラインを説明するための説明図である。
【図４】本発明の第１の実施の形態であって、遊技機の入力、制御及び出力を示すブロック図である。
【図５】本発明の第１の実施の形態であって、図４のメイン制御基板の詳細を説明するための概略ブロック図である。
【図６】本発明の第１の実施の形態であって、図４のサブ制御基板の詳細を説明するための概略ブロック図である。
【図７】本発明の第１の実施の形態であって、役の種類と図柄の組合せ等を示す図である。
【図８】本発明の第１の実施の形態であって、当選役グループ等を示す図である。
【図９】本発明の第１の実施の形態であって、役抽選の抽選テーブルの一例を示す図である。ここで、（ａ）は一般遊技状態中の抽選テーブルの一例であり、（ｂ）はボーナス遊技状態中の抽選テーブルの一例である。
【図１０】本発明の第１の実施の形態であって、図４のメイン制御基板側で管理している遊技の状態の説明図である。
【図１１】本発明の第１の実施の形態であって、押し順報知の状態（報知状態）の説明図である。
【図１２】本発明の第１の実施の形態であって、ボーナス遊技信号送信の一例を説明するための説明図である。
【図１３】本発明の第１の実施の形態であって、ボーナス遊技信号送信の他の一例を説明するための説明図である。
【図１４】本発明の第１の実施の形態であって、ボーナス遊技信号送信の他の一例を説明するための説明図である。
【図１５】本発明の第１の実施の形態であって、許可区間中にメダルの払い出しの設定値による差が生じることを説明するための説明図である。
【図１６】本発明の第１の実施の形態であって、遊技の流れを説明するためのフローチャートである。
【図１７】本発明の第１の実施の形態であって、ボーナス遊技信号の出力処理の詳細を説明するためのフローチャートである。
【図１８】本発明の第２の実施の形態であって、図４のメイン制御基板の詳細を説明するための概略ブロック図である。
【図１９】本発明の第１の実施の形態であって、図１８のメイン制御基板側で管理している遊技の状態の説明図である。
【図２０】本発明の第１の実施の形態であって、押し順報知の状態（報知状態）の説明図である。
【発明を実施するための形態】
【００２６】
（遊技機10）
本明細書では、各説明箇所において、方向についての定義等が示されていない場合には、遊技機10の方を向いて位置している遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
【００２７】
本実施の形態に係る遊技機10としてのスロットマシンを、以下、図１〜図４を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００２８】
（回転リール62）
前扉14の上部には、薄板樹脂からなる上パネル20を備えている。この上パネル20の略中央には、３個の回転リール62（正面から向かって左側の左回転リール64、中央の中回転リール66、右側の右回転リール68）の円周上の図柄61を見ることができる透過可能な図柄表示窓部16が形成されている。この図柄表示窓部16は、３個全ての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、複数の図柄61を図柄表示窓部16を介して変動表示可能なものである。
【００２９】
（リールユニット60）
前記図柄表示窓部16の後方向（奥方向）には、３個のリール駆動モータ65と、この各リール駆動モータ65によってそれぞれ回転させられる合計３個の前記回転リール62と、前記リール駆動モータ65及び前記回転リール62を保持するユニットホルダ（図示せず）とを有するリールユニット60が配置されている。また、リールユニット60には、回転リール62の回転位置が基準となる位置（基準位置）であることを検出するためリール位置センサ63が設けられている。このリール駆動モータ65は、メイン制御基板200から出力されるリール駆動モータ65を駆動するための駆動信号に基づき駆動する。さらに、リールユニット60には、回転リール62上の図柄61を照らすためのバックランプ67が設けられている。
【００３０】
（クレジット表示器87、払出枚数表示器88）
前記図柄表示窓部16の下方には、クレジットメダルの貯留枚数を表示するクレジット表示器87と、このクレジット表示器87の左側に配置され、遊技機10から払い出されたメダルの総数を表示する払出枚数表示器88とが設けられている。これらの表示器は、例えば２個の７セグメントＬＥＤで構成されており、クレジット表示器87は２桁の貯留枚数、払出枚数表示器88は２桁の払出枚数が表示可能になっている。
【００３１】
（操作部30）
前記前扉14の下部には下パネル22が設けられている。そして、前扉14には下パネル22の上部に位置して前扉14の前方向へ向けて突出する操作部30を備えている。
本実施の形態に係る遊技機10には、遊技開始の条件として投入するためのメダルを後述するメダル投入口38からあらかじめ投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
前記操作部30の上面右側には、遊技媒体としてのメダルを投入するためのメダル投入口38が設けられている。
【００３２】
（メダルセレクタ17）
筐体12内部であって、前記メダル投入口38の近傍には、メダル投入口38に投入されたメダルが正規のものか否かを選別して、正規のメダルのみをホッパーユニット24に導くメダルセレクタ17が設けられている。このメダルセレクタ17には、メダル投入口38に投入されたメダルを１枚ずつ検出する投入センサ92が設けられている。
【００３３】
なお、筐体12内部には図示しないメダル通路が設けられており、メダルセレクタ17において非正規のメダルとして排除されたメダルや、ホッパーユニット24から払い出されたメダルが、このメダル通路を通過してメダル払出口28から払い出される。
【００３４】
（精算スイッチ36）
メダル投入口38の下方には、クレジット機能によりクレジットしたメダルの全てを払い出すための精算スイッチ36が設けられている。
【００３５】
（ストップスイッチ50）
前記操作部30の中央には、操作により対応する回転リール62の回転を停止させるため、３個の回転リール62のそれぞれに対応する３個のストップスイッチ50が設けられている。このストップスイッチ50は、左回転リール64を停止させるための左ストップスイッチＬと、中回転リール66を停止させるための中ストップスイッチＣと、右回転リール68を停止させるための右ストップスイッチＲとを有している。すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００３６】
（スタートスイッチ40）
このストップスイッチ50の左側には、メダルの投入又は後述するベットスイッチ32の操作を条件に回転リール62の回転を開始させるためのスタートスイッチ40が設けられている。すなわち、このスタートスイッチ40は、遊技者の操作により回転リール62の図柄61の変動表示を開始させるためのものである。
【００３７】
（ベットスイッチ32）
このスタートスイッチ40の上方には、貯留されたクレジットメダルから投入されたメダル数（クレジットされたメダル数）から最大投入枚数（具体的には３枚）に達するまで投入可能なメダル数を減じて３枚のメダル投入に代えるマックスベットスイッチ34と、クレジットしたメダル数から１枚のメダル数を減じて１枚のメダル投入に代えるシングルベットスイッチ35とが設けられている。
【００３８】
（演出用ボタンスイッチ42）
マックスベットスイッチ34の右側には、所定の演出において遊技者が操作可能な演出用ボタンスイッチ42が設けられている。
前記前扉14の裏側には、扉開閉用スイッチ19、設定変更スイッチ46、設定表示器89などが配置されている。
【００３９】
（扉開閉用スイッチ19）
扉開閉用スイッチ19は前扉14が閉じているか否かを検知するためのものである。この扉開閉用スイッチ19は、前扉14が閉塞している場合に、前扉14の背面と扉開閉用スイッチ19の前面とが押圧されることでオンとなり、前扉14が開放するに従って、前扉14の背面が扉開閉用スイッチ19の前面から離間して押圧が解除されることでオフとなる。
設定変更スイッチ46は、後述する電源ユニット43の設定キースイッチ45と共に設定変更を行うためのものである。
【００４０】
（設定表示器89）
設定表示器89は、例えば７セグメントの小型のＬＥＤにより、大当り確率の設定値を表示するものである。設定表示器89には、当該遊技機10の設定値が表示されるが、外部から視認できないようにすべく、設定後一定時間が経過するとその表示は解除される。
【００４１】
前記前扉14の下部に相当する筐体12の内部には、メダルを貯留することができるとともに、メダルを払い出すことができるホッパーユニット24と、電源投入又は電源遮断のための操作が可能な電源スイッチ44を有すると共に各部品に電力を供給するための電源ユニット43とが配置されている。
【００４２】
（ホッパーユニット24）
このホッパーユニット24には、その駆動によりメダルをメダル払出口28に向けて払い出すホッパーモータ95と、ホッパーユニット24の出口に設けられ、メダル払出口28に払い出されたメダルを１枚ずつ検出する払出センサ94と、ホッパーユニット24のメダルタンクから溢れたメダルを収納するための補助タンクの近傍に設けられ、補助タンク内のメダルが満杯になったことを検出してメイン制御基板200へ信号を出力するオーバーフローセンサ96とが設けられている。
【００４３】
（電源ユニット43）
この電源ユニット43には、電源投入又は電源遮断のための操作が可能な電源スイッチ44と、設定変更処理のための設定キースイッチ45とが設けられている。
【００４４】
（メダル払出口28等）
前記前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００４５】
（遊技の流れの説明）
本実施の形態に係る遊技機10は、マックスベットスイッチ34やシングルベットスイッチ35等の操作又はメダル投入により所定枚数のメダルを投入することにより遊技の開始を可能とするものである。そして、スタートスイッチ40の押下操作により、回転リール62の回転を開始させて遊技が開始されるとともに、複数の役のいずれかに当選か又はハズレかの役抽選が行われる。そして、当該遊技機10は、各回転リール62に対応するストップスイッチ50の操作タイミング及び役抽選の結果に基づいて、回転リール62の回転を役抽選の結果に適合するように停止させる。当該遊技機10は、停止時の図柄61の組み合わせによって、当選した役を構成する図柄61の組み合わせが所定の有効なライン（所定の役の図柄61の組み合わせが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
【００４６】
この有効ライン86は、具体的には３個の回転リール62にそれぞれ表示されている図柄61のうち図柄表示窓部16から視認可能な図柄61を各回転リール62につき１個ずつ繋いでできる、複数の回転リール62の全てを貫くライン（途中で折れ曲がりも可）のうち、入賞等するために有効となる図柄61の組み合わせの並びを規定したラインである。このラインは、規定の賭け数（予め定められた数であって本実施の形態では３）のメダルをベットすることにより有効ライン86になる。本実施の形態の有効ライン86は、図３に示すように、左回転リール64と中回転リール66と右回転リール68との中段とを結んだライン、左回転リール64の上段と中回転リール66の中段と右回転リール68の下段とを結んだライン、左回転リール64の下段と中回転リール66の中段と右回転リール68の上段とを結んだライン、左回転リール64の上段と中回転リール66の中段と右回転リール68の上段とを結んだライン、左回転リール64の下段と中回転リール66の中段と右回転リール68の下段とを結んだラインの５本からなるものである。
【００４７】
図２に示すように、左回転リール64、中回転リール66及び右回転リール68の表面には、「赤７」、「白７」、「ＢＡＲ」、「ＢＥ１（ベル１）」、「ＢＥ２（ベル２）」、「ＲＰ（リプレイ）」、「ＣＨ（チェリー）」、「ＢＲ１（ブランク１）」、「ＢＲ２（ブランク２）」、「ＢＲ３（ブランク３）」の複数の種々の図柄61が形成されている。
これらの図柄61は、それぞれの絵柄がプリントされたテープを回転リール62の外周表面に貼付することで形成されている。なお、図２の図柄61の番号（コマ番号）は、回転リール62の外周表面に物理的に付されているものではなく、仮想的な番号であって、各図柄61の停止を制御するためのプログラムで特定の図柄61を指定するためのものである。
【００４８】
（演出装置70）
前記前扉14には、遊技者に役抽選の当選等の種々の情報を音や光や映像等で報知させるための演出装置70が形成されている。この演出装置70は、スピーカー72と、演出用ランプ78、表示装置84とを備えている。
【００４９】
（スピーカー72）
前記スピーカー72は、前扉14の上部左右に配置された上部スピーカー74と、前扉14の下部左右に配置された下部スピーカー76とを備えている。
【００５０】
（演出用ランプ78）
前記演出用ランプ78は、前扉14の上部に配置された上部ランプ80と、前扉14の下部の左右に配置された下部ランプ82とを備えている。
【００５１】
（表示装置84）
前記表示装置84は、その画面に種々の映像を表示するための液晶表示装置である。
【００５２】
（制御装置100）
図４に示すように、遊技機10の内部には、遊技機10の全体の動作を制御するための制御装置100が形成されている。この制御装置100は、遊技を進行させて遊技状態を制御するメイン制御基板200（メイン制御手段ともいう）と、このメイン制御基板200からの情報（コマンド）を受けて、遊技の進行に応じた演出を制御し、主に遊技内容に関する情報を遊技者に報知する演出を行うための制御を行うサブ制御基板300（サブ制御手段ともいう）とを備えている。
【００５３】
なお、メイン制御基板200とサブ制御基板300との間は、メイン制御基板200への不正操作を防止するために、メイン制御基板200からサブ制御基板300への一方向の通信により行われ、サブ制御基板300からメイン制御基板200への逆方向の通信は行われていない（すなわち双方向の通信ではない）。メイン制御基板200は、スタートスイッチ40、ストップスイッチ50、マックスベットスイッチ34、精算スイッチ36の入力を受け付け、役抽選を行い、リールユニット60及びホッパーユニット24の作動を制御する。サブ制御基板300は、メイン制御基板200から信号を入力し、表示装置84等の演出装置70の作動を制御する。サブ制御基板300の出力側には、演出装置70としての表示装置84、スピーカー72、演出用ランプ78の各パーツが接続されている。
【００５４】
なお、特に図示していないが、メイン制御基板200を有するメイン基板と、サブ制御基板300を有するサブ基板とは、それぞれ専用の基板ケースの内部に収納されている。具体的には、メイン制御基板200は、メイン基板ケースの内部に収納され、サブ制御基板300は、サブ基板ケースの内部に収納されている。そして、メイン基板ケースは、筐体12内部の奥側の上部に固定され、サブ基板ケースは、筐体12内部の正面から向かって左側に固定されている。
【００５５】
メイン制御基板200及びサブ制御基板300は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００５６】
（外部集中端子板18）
また、筐体12内部の正面から向かって右側には、外部集中端子板18が設けられている。
外部集中端子板18は、遊技データを遊技機10外部に出力させるものであり、メイン制御基板200と配線される接続端子（コネクタ）や、外部機器（図示省略）と配線される接続端子（コネクタ）が設けられた端子板である。また、外部集中端子板18は、図示しないが、データ表示器などの遊技島設備やホールコンピュータに接続されている。
【００５７】
（メイン制御基板200）
メイン制御基板200は、図５に示すように、役抽選手段210、リール制御手段220、停止図柄判定手段230、払出制御手段240、遊技制御手段250、許可区間制御手段260、外部送信手段270及び送信手段280の各手段を有する。各手段の詳細については後述する。なお、許可区間制御手段260は、メイン制御基板200ではなく、サブ制御基板300が有しても良いし、又、メイン制御基板200とサブ制御基板300との両方に分けて有するようにしても良い。
【００５８】
以上の構成をもって、メイン制御基板200は、役の抽選を行い、回転リール62の回転及び停止を制御し、回転リール62がすべて停止したときに停止図柄61の判定を行い、遊技の進行を行う手段として機能することとなる。
メイン制御基板200は、遊技を制御するためのものであって、遊技を進行させるためのものである。以下、本実施の形態における遊技について説明する。
【００５９】
規定の賭け数（３枚）が設定されると、５本の有効ライン86（図３参照）が設定される。なお、本実施の形態に係る遊技機10は、規定の賭け数として３が設定されている。賭け数を設定する方法には、メダル投入口38からメダルを投入する方法と、マックスベットスイッチ34を操作することによってクレジットメダルを賭け数として設定する方法とがある。そして、規定の賭け数（３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技での回転リール62の回転開始時から所定の時間（本実施の形態では、４．１秒）が経過しているか否かが判定され、所定の時間が経過すると、３個すべての回転リール62の回転が開始する。
【００６０】
回転リール62の回転開始後、所定の条件（本実施の形態では、回転リール62を加速する処理を実行した後、所定のセンサにより回転リール62の回転位置が基準位置であることを検出すること）が成立すると、ストップスイッチ50の操作が可能な状態（停止操作可能状態）となる。
【００６１】
その後に、３個のストップスイッチ50のうち１個を操作すると、当該ストップスイッチ50に対応した回転リール62の回転が停止する。そして、３個すべてのストップスイッチ50の操作を終えると、３個すべての回転リール62の回転が停止する。
このとき、有効ライン86上に所定の図柄61の組合せが揃うと、当該図柄61の組合せに対応した処理が行われる。本実施の形態に係る遊技機10は、有効ライン86上に予め定められた図柄61の組合せが揃うと遊技者に利益が付与されるように形成されている。例えば小役に対応した図柄61の組合せが有効ライン86上に揃うと、小役に対応した枚数のメダルが遊技者に対して付与される。
役抽選の当選確率は、複数段階、本実施の形態では、６段階（設定値１〜設定値６）設定されており、設定値による差がある役については、設定値１が最も低く、設定値６が最も高くなるように設定されている。
【００６２】
また、有効ライン86上に再遊技役（リプレイ役）に対応する図柄61の組合せが揃うと、メダルの払い出しはないものの、次回の遊技において遊技者所有のメダルを使用することなく賭け数が自動的に設定され遊技を行うことができる。
【００６３】
（役抽選手段210）
役抽選手段210は、役に当選するか否かの役抽選を実行するものである。そして、役抽選において決定された役を当選役ともいう。すなわち、役抽選手段210は、メイン制御基板200が備える手段であり、スタートスイッチ40の操作を契機に、複数段階の設定値毎に予め定められた抽選確率で役に当選するか否かの役抽選を行うためのものである。役抽選手段210は、役に当選したか否かを決定するための抽選テーブルを、主な分類として一般遊技状態用（ＲＴ０状態用）、内部当選状態用（ＲＴ１状態用）、ボーナス遊技状態用（ボーナス遊技状態１用・ボーナス遊技状態１用）のそれぞれに対応して複数備えており、メイン制御基板200のＲＯＭ上に記憶されている。役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。なお、役抽選手段210による処理は、後述するステップS11（図１６参照）において行われる。
【００６４】
本実施の形態では、役抽選手段210により抽選される役として、図７に示すように、大別すると、ボーナス移行役（遊技状態の移行を伴う役）、再遊技役（遊技者所有のメダルを使用することなく次回の遊技を開始可能とする役、いわゆるリプレイ役）、小役（メダルの払い出しを伴う役）が設けられている。
本実施の形態では、ボーナス移行役として、後述するボーナス遊技状態１に移行する第１ボーナス役、第２ボーナス役、第３ボーナス役と、ボーナス遊技状態２に移行する第４ボーナス役とが設けられている。
【００６５】
また、小役には、本実施の形態では、「ベル役」、「チャンス役」が含まれるが、これに限定されず、「スイカ役」、「チェリー役」などが含まれても良い。
また、小役には、ストップスイッチ50の押し順が予め定められた順番で操作された場合に入賞となる押し順役、本実施の形態では、「ベル役」が含まれる。
【００６６】
つぎに、図７に示すように、役抽選手段210により抽選される役の種類と図柄の組合せについて説明する。
例えば、ボーナス移行役として、左回転リール64、中回転リール66、右回転リール68の順（以下同様）に「白７、白７、白７」の図柄の組合せの第１ボーナス役、「ＣＨ、ＲＰ、ＢＥ１」の図柄の組合せの第４ボーナス役、ベル役として、「ＢＥ１、ＢＥ１、ＢＥ１」の図柄の組合せの第１ベル役、再遊技役（リプレイ）として、「ＲＰ、ＲＰ、ＲＰ」の図柄の組合せの第１リプレイ役、チャンス役として、「ＡＮＹ、ＢＥ２、ＡＮＹ」の図柄の組合せの第１チャンス役などの図柄の組合せの役が設けられている。
なお、「ＡＮＹ」とは、図柄の種類を問わないという意味である。
また、役抽選手段210により抽選される役の種類と図柄の組合せについては、図７に示すものに限定されない。
【００６７】
つぎに、図８を用いて、当選役グループについて説明する。
なお、当選役グループについては、図８に示すものに限定されない。
図８は、予め定められた複数種類の当選役グループを示し、各当選役グループは、１つの役又は複数の役の組み合わせから構成される。そして、本実施の形態では、役抽選手段210は、役抽選によりいずれかの当選役グループが当選するか否かを決定している。
【００６８】
そのため、当選役グループが複数の役から構成されている場合は、当選役グループの複数の役に同時に当選（重複して当選）していることとなる。また、図８に示す「ハズレ」は、いずれの当選役グループも当選しなかった場合を示している。
また、図８に示すように、例えば、第１ベル役のように、複数の当選役グループに含まれる役も存在する。このため、役抽選によって当選した当選役グループ（第１ベル役の例の場合は、ベル１〜ベル４）が異なったとしても、共通する役（第１ベル役）が成立（入賞）する場合があることになる。
また、各当選役グループは、図８に示すように、ストップスイッチ50の押し順が設定されているものがあり、ストップスイッチ50の押し順によって、遊技の結果、成立（入賞）する役が異なるように設定されている。
【００６９】
ここで、図８に示すように、ボーナス移行役（第１ボーナス役〜第４ボーナス役）のいずれかが含まれる当選役グループには「ボーナス１」と「ボーナス２」とがあり、リプレイ役（第１リプレイ役、第２リプレイ役）のいずれかが含まれる当選役グループには「リプレイ１」と「リプレイ２」とがあり、ベル役（第１ベル役〜第４ベル役）のいずれかが含まれる当選役グループには「ベル１」と「ベル２」と「ベル３」と「ベル４」とがあり、チャンス役（第１チャンス役〜第３チャンス役）のいずれかが含まれる当選役グループには「チャンス１」と「チャンス２」と「チャンス３」とがある。
【００７０】
具体的には、「第１ボーナス役」「第２ボーナス役」「第３ボーナス役」が同時に当選する「ボーナス１」、「第４ボーナス役」が当選する「ボーナス２」、「第１ベル役」「第２ベル役」「第３ベル役」が同時に当選する「ベル２」などがある。
そして、例えば、役抽選により「ボーナス１」が当選した場合は、遊技者によるストップスイッチ50の操作によって「白７、白７、白７」の図柄の組合せが停止表示されると「第１ボーナス役」が成立し、「赤７、赤７、赤７」の図柄の組合せが停止表示されると「第２ボーナス役」が成立し、「ＢＡＲ、ＢＡＲ、ＢＡＲ」の図柄の組合せが停止表示されると「第３ボーナス役」が成立する。
また、例えば、「ベル２」が当選した場合は、左ストップスイッチLが最初に操作された場合（左第１停止）には１２枚の払い出しが得られる「第１ベル役」が、中ストップスイッチC、右ストップスイッチRが最初に操作された場合はストップスイッチ50の操作タイミングによって３枚の払い出しが得られる「第２ベル役」か「第３ベル役」のいずれかが入賞となる。
【００７１】
ここで、ベル２〜ベル４で第１ベル役と同時に当選する第２ベル役、第３ベル役、第４ベル役は、いわゆる順押しされた場合は、いずれもいわゆる０枚役ではなく、第１ベル役よりは少ない枚数の払い出しが得られるように設定されている。
後述するように、ボーナス遊技状態２の終了条件は、押し順役に所定回数入賞することに設定されているが、０枚役が成立しても入賞としてカウントされず、特に不許可区間中は押し順が報知されないため第１ベル役の押し順に正解する確率が低くなり、ボーナス遊技状態２中に０枚役が成立し続け、当該ボーナス遊技状態２が無駄に長期間遊技されることになり、遊技者の興趣を低下させることとなるためである。
【００７２】
また、一般遊技状態の抽選テーブルの一例を図９（ａ）に示すが、ボーナス遊技状態２へ移行することになる当選役グループであるボーナス２の抽選確率は、設定値の段階が高いほど高くなるように設定されている。
具体的には、設定値１の場合は「１／１９９」の抽選確率、設定値２の場合は「１／１９０」の抽選確率、設定値３の場合は「１／１８０」の抽選確率、設定値４の場合は「１／１７０」の抽選確率、設定値５の場合は「１／１６０」の抽選確率、設定値６の場合は「１／１４０」の抽選確率となっている。これにより、設定値の段階が高いほどボーナス２に当選し、ボーナス遊技状態２へ移行しやすくなっている。
【００７３】
また、ボーナス遊技状態２の抽選テーブルの一例を図９（ｂ）に示すが、ボーナス遊技状態２の終了条件に関連する押し順役（第１ベル役〜第４ベル役）を含むベル２、ベル３、ベル４の抽選確率は、設定値が異なっても同じ抽選確率に設定されている。
【００７４】
（リール制御手段220）
リール制御手段220は、メイン制御基板200が備える手段であり、各回転リール62の回転を停止させるためのものである。リール制御手段220は、役抽選手段210の抽選結果と、各ストップスイッチ50が操作されたときの対応する回転リール62の回転位置とに基づいて、各回転リール62の回転を停止させる。なお、リール制御手段220は、必要に応じて各ストップスイッチ50が停止操作されるときの順番（押し順）が所定の条件に適合しているか否かも停止させる条件にする場合がある。リール制御手段220による処理は、後述するステップS12（図１６参照）において行われる。
【００７５】
（停止図柄判定手段230）
停止図柄判定手段230は、メイン制御基板200が備える手段であり、すべての回転リール62が停止した際における有効ライン86上の図柄61の組合せを記憶するとともに入賞等の判定をするためのものである。なお、停止図柄判定手段230による処理は、後述するステップS13（図１６参照）において行われる。
【００７６】
（払出制御手段240）
払出制御手段240は、停止図柄判定手段230の判定結果に基づいて、メダル払い出し等の所定の処理を行うためのものである。払出制御手段240は、停止図柄判定手段230の判定の結果、小役が入賞していると判定されるとメダルの払い出しを行う。
【００７７】
（遊技制御手段250）
遊技制御手段250は、遊技状態を制御するものである。
具体的には、遊技制御手段250は、図４に示すように、大別すると、一般遊技制御手段251、内部当選状態制御手段252及びボーナス遊技制御手段253の各手段を有する。
【００７８】
（一般遊技制御手段251）
一般遊技制御手段251は、「一般遊技状態（ＲＴ０状態）」の進行を制御するものである。ここで、「一般遊技状態（ＲＴ０状態）」は、内部当選状態制御手段252による内部当選状態（ＲＴ１状態）及びボーナス遊技状態制御手段253によるボーナス遊技状態以外の遊技状態をいう。
【００７９】
（内部当選状態制御手段252）
内部当選状態制御手段252は、図１０を用いて後述する「内部当選状態遊技（ＲＴ１状態）」の進行を制御するものである。
【００８０】
（ボーナス遊技状態制御手段253）
ボーナス遊技状態制御手段253は、図１０を用いて後述する「ボーナス遊技状態」を制御するものである。
「ボーナス遊技状態」は、ボーナス移行役に当選後、ボーナス移行役の図柄を揃えることで移行する。
そして、所定の終了条件を満たした場合、本実施の形態では、予め定められた回数、例えば８回、押し順ベルに入賞することなどにより終了し、「一般遊技状態（ＲＴ０状態）」に移行する。
【００８１】
（許可区間制御手段260）
許可区間制御手段260は、図１１を用いて後述する「許可区間」を制御するものである。
そして、後述する演出制御手段320を用いてストップスイッチ50の押し順を報知させる演出等を実行させる。
また、許可区間制御手段260は、役抽選により予め定められた役、本実施の形態では、チャンス役（チャンス１・チャンス２・チャンス３のいずれかの当選役グループ）に当選した際に「不許可区間」から「許可区間」への移行抽選（許可区間移行抽選）を行う。
【００８２】
また、許可区間制御手段260には、許可区間実行中であること、又は、許可区間実行中ではないこと、を示す情報（例えば、許可区間実行中であることを示すフラグ）を記憶する記憶手段を備え、かかる記憶手段の情報を更新することで、許可区間を制御するようにしている。
なお、前記「許可区間実行中であることを示すフラグ」は、許可区間移行抽選に当選した遊技中に当該フラグを設定した場合には、許可区間移行抽選に当選した遊技中では、「次の遊技から許可区間へ移行することを示すフラグ」となり、許可区間抽選に当選した遊技の終了後から許可区間（次の遊技）を開始するまでの期間では、当該期間中は「次の遊技で許可区間へ移行することを示すフラグ」となる。
【００８３】
（外部送信手段270）
外部送信手段270は、外部集中端子板18を用いて、遊技機10の状況を示す情報を遊技機外部であるデータ表示器に送信するものである。
【００８４】
ここで、外部集中端子板18と外部送信手段270とについて具体的に説明する。
外部集中端子板18には、メイン制御基板200の出力側コネクタと接続される「入力側コネクタ」と、データ表示器など遊技機10の外部機器へと繋がる外部側コネクタと接続される「出力側コネクタ」と、が設けられている。
そして、入力側コネクタは、メイン制御基板200のＣＰＵからの信号を受け付ける複数の入力端子を備えている。また、出力側コネクタは、入力端子が受け付けた信号に基づいて、外部機器（データ表示器）へ所定の信号（外部出力信号）を出力する複数の出力端子を備えている。
【００８５】
また、外部集中端子板18では、複数種類の外部出力信号が、それぞれの専用の出力端子から出力可能となっている。
具体的には、データ表示器に送信する遊技機10の状況を示す情報として、（１）メダル投入、（２）メダル払出、（３）レギュラーボーナス実行中、（４）ビッグボーナス実行中、（５）ＡＲＴ実行中、（６）セキュリティ信号、（７）ドアオープン信号、が出力可能となっているが、これに限定されず、他の信号であっても良い。また、全ての信号が出力される場合に限定されず、遊技機10に採用されている機能により出力されない信号も存在する。
【００８６】
今回の実施形態における「レギュラーボーナス実行中」は、ボーナス遊技状態１又はボーナス遊技状態２に滞在しているときに、所定の「Ｈｉｇｈレベル」で継続して出力される信号であり、外部機器側にてボーナスの発生回数をカウントする目的で用いられる。
具体的には、第１〜第４ボーナス役に対応する図柄組合せが有効ライン86上に停止したタイミングを契機として、Ｌｏｗレベル（ＯＦＦ）からＨｉｇｈレベル（ＯＮ）へ状態が切り替わるものであって、例えばボーナス遊技状態を開始する際に特定の開始演出を実行するときには、所定の時間だけ経過した後（但し、メダル投入が可能となる状態となる前）に切り替わる。
また、ボーナス遊技状態が終了するときの最終遊技における全図柄が停止したタイミングを契機として、Ｈｉｇｈレベル（ＯＮ）からＬｏｗレベル（ＯＦＦ）へ状態が切り替わるものであって、遅くとも、次遊技に係るメダル投入が可能となる状態へ移行する前に切り替わり、最終遊技でのメダル払出が完了するか否かに関わらず状態が切り替わるものである。
なお、「ビッグボーナス実行中」も、後述する第２の実施の形態の「ＡＲＴ実行中」も、これら信号を出力する場合には、上記と同様に処理される。
【００８７】
ボーナス遊技状態実行中の情報についてより具体的に説明する。
ボーナス遊技状態２では、許可区間中に、一般遊技状態からボーナス遊技状態２へ移行した場合は、ボーナス遊技状態２を実行中であることを示す情報を送信し、不許可区間中に、一般遊技状態からボーナス遊技状態２へ移行した場合は、ボーナス遊技状態２を実行中であることを示す情報を送信しないようにしている。
すなわち、後述するように、ボーナス遊技状態２であっても、許可区間であるか不許可区間であるかによってメダルの払い出しの期待値が異なり、不許可区間ではボーナス遊技状態として扱わず、遊技者に報知しないようにしている。
【００８８】
なお、ボーナス遊技状態１では、許可区間中に、一般遊技状態からボーナス遊技状態１へ移行した場合であっても、不許可区間中に、一般遊技状態からボーナス遊技状態１へ移行した場合であっても、当該ボーナス遊技状態１を実行中であることを示す情報を送信するようにしている。
【００８９】
（送信手段280）
送信手段280は、サブ制御基板300へ信号を送信するためのものである。
【００９０】
（サブ制御基板300）
サブ制御基板300は、図５に示すように、受信手段310、演出制御手段320の各手段を有する。各手段の詳細については後述する。
【００９１】
以上の構成をもって、サブ制御基板300は、メイン制御基板200からの信号を受けて、遊技の進行に伴う演出を行うものである。
具体的には、演出制御手段300は、ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示装置84を駆動するための液晶制御基板（図示せず）に対して出力する映像データを規定するデータを出力したりする。
【００９２】
（受信手段310）
受信手段310は、送信手段280からの信号を受信するものである。
【００９３】
（演出制御手段320）
演出制御手段320は、図１０に示す遊技状態に応じた遊技機10の演出を制御するものである。
また、演出制御手段320は、図１１に示す許可区間の間、メイン制御基板200の許可区間制御手段260からストップスイッチ50の押し順を報知させるコマンドを受信した場合に当該ストップスイッチ50の押し順を報知させる演出を実行する。
具体的には、各ストップスイッチ50の位置（詳しくは各ストップスイッチ50に対応する回転リール62の位置）と対応する表示装置84の画面に、押し順を示す複数の画像又は映像（例えば「１」「２」「３」）を表示することで押し順を報知する。その後、前記押し順を示す画像又は映像は、ストップスイッチ50が操作される度に、当該操作されたストップスイッチ50の位置に対応する部分が消去（又は順序を示さない画像に変更）される。
【００９４】
また、演出制御手段320は、不許可区間中に一般遊技状態からボーナス遊技状態２へ移行した場合であっても、ボーナス遊技状態２の演出ではなく、一般遊技状態の演出を実行し、遊技者に、ボーナス遊技状態２であることを認識させないようにしている。
そのため、通常の遊技者は、不許可区間中では左ストップスイッチLを最初に操作することが多いため、ボーナス遊技状態２中であっても、第１ベル役の押し順に正解する確率が低くなる。
【００９５】
また、演出制御手段320は、役抽選によりボーナス１に当選した場合は、ボーナス遊技状態への移行を示唆する演出や、ボーナス役が当選したことを告知する演出を実行し、又、ボーナス遊技状態１に移行した場合は、所定のボーナス演出を実行する。
【００９６】
（図１０を用いた遊技の状態の説明）
つぎに、図１０を用いて「遊技の状態」について説明する。
「遊技の状態」は、メイン制御基板200により管理され、図１０に示すように、大別すると、「一般遊技状態（ＲＴ０状態）」、「内部当選状態（ＲＴ１状態）」及び「ボーナス遊技状態」がある。
【００９７】
なお、各遊技における再遊技役の当選確率は、「一般遊技状態」においては「１／７．３」に設定されており、「内部当選状態」においては一般遊技状態（ＲＴ０状態）よりも高確率に設定されており、「ボーナス遊技状態」では「０」に設定されている。
【００９８】
「一般遊技状態」は、一般遊技制御手段251により制御され、「一般遊技状態」から、「内部当選状態（ＲＴ１状態）」、又は、「ボーナス遊技状態２」、へ移行可能である。
【００９９】
「内部当選状態」は、内部当選状態制御手段252により制御され、「一般遊技状態」においてボーナス移行役、本実施の形態では、「ボーナス１」に当選すると移行する。
すなわち、「ボーナス１」に対応した図柄が予め定められた有効ライン86上に停止表示されなかった場合に、当該「ボーナス１」の当選情報を次遊技以降に持ち越し可能に形成されている。
【０１００】
また、本実施の形態では、「ボーナス２」に当選しても「内部当選状態」には移行しないように設定されている。
すなわち、「ボーナス２」に対応した図柄は、ストップスイッチ50の操作タイミングを問わず有効ライン86上に停止表示可能に回転リールに配列されていることで、「ボーナス２」の当選情報を次遊技以降に持ち越すことはないように設定されている。
ここで、「ボーナス２」に対応した図柄は「ＣＨ、ＲＰ、ＢＥ１」であり、図２に示すように、有効ライン86（図３参照）に対して、ストップスイッチ50の操作タイミングを問わず停止表示可能な所定間隔で配置されている。
【０１０１】
「ボーナス遊技状態」は、ボーナス遊技制御手段253により制御され、ボーナス移行役当選後、対応する図柄を揃えることで移行する。
【０１０２】
「ボーナス遊技状態」には、「ボーナス遊技状態１」、「ボーナス遊技状態２」がある。
ここで、「ボーナス遊技状態１」は、本実施の形態では、予め定められた回数、例えば８回、「ベル１」に当選して「第１ベル役」に入賞することにより終了し、「一般遊技状態」に移行する。
また、「ボーナス遊技状態２」は、特別遊技状態の一例であり、本実施の形態では、予め定められた回数、例えば８回、押し順ベルに入賞することにより終了し、「一般遊技状態」に移行する。
【０１０３】
また、「不許可区間」中であり、且つ「ボーナス遊技状態」中は、許可区間移行抽選が行われないように設定されている。
すなわち、「不許可区間中」に「一般遊技状態」から移行した「ボーナス遊技状態」中は、「不許可区間」から「許可区間」へは移行しないようにしている。
【０１０４】
（図１１を用いた押し順報知の状態の説明）
図１１に示すように、押し順報知の状態（報知状態）は、「不許可区間」、「許可区間」がある。
ここで、「不許可区間」は、役抽選により予め定められた押し順でストップスイッチ50の操作がされた場合に入賞となる押し順役に当選した場合に、当該押し順を遊技者に報知不可能な区間である。
また、「許可区間」は、「不許可区間」から移行可能であり、当該押し順を遊技者に報知可能な区間である。「不許可区間」から「許可区間」への移行抽選（許可区間移行抽選）は、遊技状態が「一般遊技状態」中に、当該移行抽選の契機となる役、本実施の形態では、チャンス役に当選した場合に行われ、当該移行抽選に当選することにより次の遊技から「許可区間」に移行する。
【０１０５】
ここで、移行抽選の契機となる役、本実施の形態ではチャンス役の抽選確率は、図９（ａ）に示すように、設定値による差がないように設定されている。
すなわち、設定値１の場合であっても、設定値６であっても同じ抽選確率（１／１００）で抽選されるようにされている。
【０１０６】
なお、「不許可区間」から「許可区間」へは、移行抽選の契機となる役に当選した際に行われる許可区間移行抽選に当選した場合に移行する場合に限定されず、役抽選により予め定められた役に当選すると許可区間移行抽選をすることなく、「許可区間」への移行が決定されるようにしても良い。また、「不許可区間」から「許可区間」へ移行する際に、「許可区間」への移行が決定されているが「許可区間」への移行を待機している他の区間を経由して移行するようにしても良い。
すなわち、本実施の形態では、設定値による差がない役（チャンス役）の当選を契機に行われる許可区間移行抽選に当選すると当該当選した遊技の次の遊技から許可区間を開始しているが、これ以外にも、設定値による差のないリプレイ役（第１リプレイ役・第２リプレイ役）の当選や、設定値による差のないボーナス移行役（第１ボーナス役・第２ボーナス役・第３ボーナス役）の当選を契機に不許可区間から許可区間へ移行させることも可能である。特に、後者のボーナス移行役の当選を契機にする場合には、ボーナス移行役に当選した遊技の次の遊技から、ボーナス移行役に対応する図柄の組合せが停止表示される遊技までの間、つまり、内部当選状態を、「許可区間」への移行を待機している他の区間として、不許可区間から許可区間へ移行させるタイミングを遅らせる。具体的には、ボーナス移行役に対応する図柄の組合せが停止表示された遊技の次の遊技から許可区間を開始する。
【０１０７】
また、この「許可区間」は、本実施の形態では、１回以上、役抽選によりボーナス役に当選することを「許可区間」の終了可能とする条件（許可区間終了可能条件）として、「許可区間」から「不許可区間」へ移行可能とされている。
例えば、役抽選において、「ボーナス１」又は「ボーナス２」、すなわち、「第１ボーナス役〜第４ボーナス役」（図８参照）のいずれかに当選すると、「許可区間」を終了して「不許可区間」へ移行する許可区間終了可能条件を満たすこととなる。
なお、全てのボーナス役のうちいずれのボーナス役に当選しても許可区間終了可能条件を満たすこととしたが、これに限定されず、一部のボーナス役に当選することで許可区間終了可能条件を満たすこととしても良い。
また、ボーナス役の当選することで許可区間終了可能条件を満たすこととしたが、これに限定されず、当選したボーナス役に対応する図柄の組合せが停止表示されることで許可区間終了可能条件を満たすこととしても良い。
【０１０８】
また、一般遊技状態中に押し順役である「ベル２」「ベル３」「ベル４」を役抽選の抽選対象に含むように設定し（図８参照）、「許可区間」においては、１回以上、最大払出枚数が得られることとなる入賞に係る図柄の組合せに係る指示（押し順の報知）がされることを許可区間終了可能条件としても良い。
例えば、複数の小役のうち、最大払出枚数に係る小役が「第１ベル役」（図７参照）である場合には、許可中において、少なくとも１回「第１ベル役」を入賞させる押し順（第１ベル役の入賞が容易となる押し順）が報知されることとなる。
【０１０９】
また、本実施の形態では、押し順役である「ベル２」「ベル３」「ベル４」は、図８に示すように「ボーナス遊技状態」でのみ役抽選の対象となっているため、「許可区間」であり、且つ「ボーナス遊技状態」である場合に、押し順役の押し順が報知されるようになっている。
【０１１０】
そのため、「不許可区間」であり、且つ「ボーナス遊技状態２」である場合は、押し順役（ベル２、ベル３、ベル４）に当選した場合であっても、当該押し順役の押し順が報知されることはなく、遊技者はストップスイッチ50を左第一停止（いわゆる順押し）で操作することが多いため、同時に当選している押し順役（第１ベル役、第２ベル役、第３ベル役、第４ベル役など）のうち、払出枚数の多い押し順役（第１ベル役）に対応した図柄を停止表示させる可能性が低くなる。すなわち、ベル２やベル３に当選した場合であっても、左第一停止では１２枚の払い出しが得られる第１ベル役が入賞することはないため、左第一停止で第１ベル役が入賞するベル１が当選しない限り、第１ベル役が入賞する可能性が低くなる。
【０１１１】
一方、「許可区間」であり、且つ「ボーナス遊技状態２」である場合は、押し順役（ベル２、ベル３、ベル４）に当選した場合は、当該押し順役の押し順が報知され、遊技者は報知された押し順にしたがってストップスイッチ50を操作するため、同時に当選している押し順役（第１ベル役、第２ベル役、第３ベル役、第４ベル役など）のうち、払出枚数の多い押し順役（第１ベル役）に対応した図柄を停止表示させる可能性が高くなる。
【０１１２】
そして、上述したように、一旦「不許可区間」中に「ボーナス遊技状態２」へ移行した場合は、「許可区間」への移行抽選が行われないため、当該「ボーナス遊技状態２」では、押し順が報知されることはないこととなり、押し順に正解した場合に入賞する払出枚数の多い「第１ベル役」に入賞せず、払出枚数の少ない「第２ベル役」「第３ベル役」「第４ベル役」に入賞することとなる。
結果として、同じ「ボーナス遊技状態２」中であっても「不許可区間」「許可区間」のいずれが実行中であるかによって、払出枚数の多い押し順役（第１ベル役）に入賞する回数が変わり、有利度が変わることとなる。
【０１１３】
なお、「ボーナス遊技状態１」では、押し順の関係のない「第１ベル役」を含む「ベル１」が高確率で当選するように設定されており、「不許可区間」であっても、「許可区間」であっても、払出枚数に影響はないようにされている。
【０１１４】
また、「一般遊技状態」中の「ボーナス遊技状態２」への移行役である「ボーナス２」の抽選確率は、図９（ａ）に示すように、設定値により異なるように設定されている。
すなわち、設定値の数値が高いほど、「ボーナス２」に当選しやすくなっている。
なお、「ボーナス１」についても設定値の数値が高いほど当選しやすくしているが、これに限定されず、設定値が異なっても同じ抽選確率にしても良い。
【０１１５】
また、「許可区間」中であり、且つ「一般遊技状態」中は、毎ゲーム、「不許可区間」への移行抽選（転落抽選）が行われる。かかる転落抽選に当選することで、「許可区間」から「不許可区間」へ移行する。
なお、毎ゲーム、転落抽選が行われる場合に限定されず、他の契機、例えば、役抽選の結果が所定の役の当選である場合に行われるようにしても良い。
また、「許可区間」は、転落抽選に当選しない場合であっても、所定ゲーム数、例えば１５００ゲーム消化することで終了し、「ボーナス遊技状態」中であっても、「不許可区間」へ移行するように設定されている。
【０１１６】
また、「許可区間」は、転落抽選に当選した場合に終了する場合に限定されず、「許可区間」への移行が決定した場合に遊技区間として、例えばゲーム数を決定し、当該ゲーム数を消化することで終了するようにしても良い。この場合には、所定の契機、例えばレア役に当選することを条件に、「許可区間」を延長するようにしても良い。
【０１１７】
（ボーナス遊技信号送信の例）
図１２〜図１４を用いて、ボーナス遊技信号を送信する場合の一例について説明する。
まず、図１２を用いて、押し順報知の状態（報知状態）が許可区間中に、遊技状態が一般遊技状態からボーナス遊技状態２へ移行する場合の一例について説明する。
報知状態が不許可区間中で、且つ遊技状態が一般遊技状態中に、チャンス役に当選し、許可区間移行抽選に当選した場合に、不許可区間から許可区間に移行する（１）。
【０１１８】
そして、報知状態が許可区間中に第４ボーナス役に入賞することにより、遊技状態が一般遊技状態からボーナス遊技状態２に移行する（２）。かかる移行により外部送信手段２70がデータ表示器へのボーナス遊技信号（レギュラーボーナス実行中の信号）をＯＮにする。すなわち、ボーナス遊技状態２であることを示す情報を送信する。
その後、押し順役に８回入賞することにより、遊技状態がボーナス遊技状態２から一般遊技状態に移行する（３）。かかる移行により外部送信手段270がデータ表示器へのボーナス遊技信号をＯＦＦにする。
【０１１９】
報知状態が許可区間中に、再度第４ボーナス役に入賞することにより、遊技状態が一般遊技状態からボーナス遊技状態２に移行する（４）。かかる移行により外部送信手段270がデータ表示器へのボーナス遊技信号をＯＮにする。すなわち、ボーナス遊技状態２であることを示す情報を送信する。
その後、押し順役に８回入賞することにより、遊技状態がボーナス遊技状態２から一般遊技状態に移行する（５）。かかる移行により外部送信手段２70がデータ表示器へのボーナス遊技信号をＯＦＦにする。
そして、転落抽選に当選し、報知状態が許可区間から不許可区間に移行する（６）。
【０１２０】
つぎに、図１３を用いて、報知状態が不許可区間中に、遊技状態が一般遊技状態からボーナス遊技状態２へ移行する場合の一例について説明する。
報知状態が許可区間中で、転落抽選に当選したことにより、許可区間から不許可区間に移行する（１）。
報知状態が許可区間中に第４ボーナス役に入賞することにより、遊技状態が一般遊技状態からボーナス遊技状態２へ移行する（２）。かかる移行によっても、外部送信手段270はデータ表示器へのボーナス遊技信号をＯＮにせず、ＯＦＦを維持する。
【０１２１】
その後、押し順役に８回入賞することにより、遊技状態がボーナス遊技状態２から一般遊技状態に移行する（３）。
報知状態が不許可区間中に、再度第４ボーナス役に入賞することにより、遊技状態が一般遊技状態からボーナス遊技状態２に移行する（４）。かかる移行によっても、外部送信手段270はデータ表示器へのボーナス遊技信号をＯＮにせず、ＯＦＦを維持する。
【０１２２】
その後、押し順役に８回入賞することにより、遊技状態がボーナス遊技状態２から一般遊技状態に移行する（５）。
そして、チャンス役に当選し、許可区間移行抽選に当選した場合に、不許可区間から許可区間に移行する（６）。
【０１２３】
つぎに、図１４を用いて、遊技状態がボーナス遊技状態２中に、押し順報知の状態（報知状態）が不許可区間から許可区間への移行抽選（許可区間移行抽選）の契機となるチャンス役に当選した場合の一例について説明する。
報知状態が不許可区間中で、チャンス役に当選し、許可区間移行抽選に当選することにより、不許可区間から許可区間に移行する（１）。
【０１２４】
報知状態が許可区間中に、第４ボーナス役に入賞することにより、遊技状態が一般遊技状態からボーナス遊技状態２へ移行する（２）。かかる移行により外部送信手段270がデータ表示器へのボーナス遊技信号をＯＮにする。すなわち、ボーナス遊技状態２であることを示す情報を送信する。
そして、チャンス役に当選した場合であっても、既に第４ボーナス役の入賞によるボーナス遊技状態２であるため、許可区間移行抽選は行われない（３）。なお、この場合であっても許可区間移行抽選を行い、許可区間移行抽選に当選した場合は、許可区間への移行の権利をストックしたり、又、転落抽選に当選した場合であっても不許可区間へ移行しないようにしたり、することも可能である。
【０１２５】
その後、押し順役に８回入賞することにより、遊技状態がボーナス遊技状態２から一般遊技状態に移行する（４）。かかる移行により外部送信手段270がデータ表示器へのボーナス遊技信号をＯＦＦにする。
そして、転落抽選に当選し、報知状態が許可区間から不許可区間に移行する（５）。
報知状態が不許可区間中に、第４ボーナス役に入賞することにより、遊技状態が一般遊技状態からボーナス遊技状態２に移行する（６）。かかる移行によっても、外部送信手段270はデータ表示器へのボーナス遊技信号をＯＮにせず、ＯＦＦを維持する。
【０１２６】
その後、報知状態が不許可区間中で、チャンス役に当選した場合であっても、遊技状態がボーナス遊技状態２中は、許可区間移行抽選が行われないため、不許可区間の実行を維持する（７）。したがって、外部送信手段270はデータ表示器へのボーナス遊技信号をＯＮにせず、ＯＦＦを維持する。
押し順役に８回入賞することにより、遊技状態がボーナス遊技状態２から一般遊技状態に移行する（８）。
【０１２７】
（許可区間中のメダルの払い出しの設定値による差の例）
図１５を用いて、許可区間中における、メダルの払い出しについての設定値による差の一例について説明する。
設定値が６の場合も設定値が１の場合も、上述したように１回のボーナス遊技状態２中に８回の押し順役に入賞することが可能であるが、許可区間中であるため、当選した押し順役の押し順が報知されるため、１２枚の払い出しが得られる第１ベル役に入賞する。
【０１２８】
しかし、図９（ａ）に示すように、設定値が６の方が、設定値が１の場合に比べ、ボーナス２（第４ボーナス役）に当選しやすいため（設定値６の場合は１／１４０の抽選確率、設定値１の場合は１／１９９の抽選確率）、１回の有利区間中にボーナス遊技状態２へ移行しやすいこととなる。本例では、設定値が６の場合は５回であるが、設定値が１の場合は４回である。
そのため、設定値が６の場合は、本例では１回の許可区間中に、８回×１２枚×５回の４８０枚の払い出しを得られ、設定値が１の場合は、本例では１回の許可区間中に、８×１２×４の３８４枚の払い出しが得られ、設定値による差が生じることとなる。
【０１２９】
また、仮に、転落抽選に当選するまでに許可区間が１００ゲーム遊技され、ボーナス遊技状態２中に、毎ゲーム、ベル１〜４に当選した場合を例にすると、設定値が６の場合は、ボーナス遊技状態２の遊技回数は、８回×５回＝４０回であり、ボーナス遊技状態２以外の遊技回数は、１００回−４０回＝６０回となり、設定値が１の場合は、ボーナス遊技状態２の遊技回数は、８回×４回＝３２回であり、ボーナス遊技状態２以外の遊技回数は、１００回−３２回＝６４回となる。すなわち、設定値の段階が低くなると、許可区間中のボーナス遊技状態２以外の遊技回数が多くなり、設定値による差が生じることとなる。
なお、後述する第２の実施の形態のように、許可区間にＡＲＴ状態を設けた場合は（図２０参照）、ボーナス遊技状態２ではチャンスゾーンからＡＴ状態への移行抽選ができないが、ボーナス遊技状態２以外の遊技委状態ではチャンスゾーンからＡＴ状態への移行抽選ができるため、許可区間中のボーナス遊技状態２以外の遊技回数が多くなった場合であっても、当該多くなったボーナス遊技状態２以外の遊技においてＡＴ状態への移行抽選が行えることから、設定値の段階が低くなってもＡＴ状態への移行はし易くなるため、設定値による差が生じることとなる。
【０１３０】
（図１６を用いた遊技の基本的な流れの説明）
図１６に示すフローチャートに基づいて、メイン制御基板200が１回の遊技毎に実行する一般的な遊技制御処理について説明する。
【０１３１】
ステップS10において、メイン制御基板200により、スタートスイッチ40の操作があったか否かの判定が行われる。ここで、スタートスイッチ40の操作があったと判定されると、メイン制御基板200により、賭け数の設定が不可能な状態とされる。その後、次のステップS11に進む。一方、スタートスイッチ40の操作がないと判定されると、再度ステップS10となる。
【０１３２】
なお、このステップS10の前提として、賭け数設定処理が行われている。この賭け数設定処理では、賭け数として規定の賭け数が設定されたか否かが判定されるものである。具体的には、メイン制御基板200により、当該遊技の賭け数として設定されているメダルの枚数が規定の賭け数（３枚）に達しているか否かの判定が行われる。
【０１３３】
ステップS11において、役抽選手段210により、役抽選処理が行われる。また、このとき、役抽選の結果がメイン制御基板200からサブ制御基板300へ送信される。役抽選処理が終了すると、次のステップS12に進む。
【０１３４】
ステップS12において、リールユニット60における回転リール62の回転変動処理が行われる。回転リール62が所定の回転速度に達した後、メイン制御基板200により、回転中の回転リール62に対応するストップスイッチ50の操作があった場合に、リール制御手段220により、各回転リール62の回転が停止させられる。このときのストップスイッチ50（左ストップスイッチL、中ストップスイッチC、右ストップスイッチR）の当選役に対応する押し順は、メイン制御基板200に形成された所定の記憶領域に記憶されると共に、その後の処理にて読み出される。
【０１３５】
また、全ての停止操作終了後、メイン制御基板200の送信手段280からサブ制御基板300の受信手段310へ全回転リール62の回転停止情報が送信される。そして、全ての回転リール62の回転変動処理が終了すると、次のステップS13に進む。
ステップS13において、停止図柄判定手段230により、有効ライン86上の図柄61の組合せに対して所定の役の図柄61の組合せが揃っているか否かの入賞等の判定処理が行われる。ここで、入賞等の判定処理の判定結果のデータは、メイン制御基板200からサブ制御基板300へ送信される。そして、判定処理が終わると、次のステップS14に進む。
【０１３６】
ステップS14において、払出制御手段240により、停止図柄判定手段230の判定結果に対応した払出処理等が行われる。なお、判定結果、払出が不要な場合には、払出処理は行われない。そして、当該処理が終了する。
【０１３７】
（図１７を用いたボーナス遊技信号の出力処理の説明）
図１７に示すフローチャートに基づいて、外部送信手段270が実行するボーナス遊技状態２を実行中であることを示すボーナス遊技信号の出力処理の一例について説明する。
ステップS20において、第４ボーナス役に入賞し、ボーナス遊技状態２が開始されたか否かが判定される（図１６のステップS13参照）。ボーナス遊技状態２が開始されたと判定されない場合は処理を終了する。一方、ボーナス遊技状態２が開始されたと判定された場合は、次のステップS21に進む。
【０１３８】
ステップS21において、押し順報知の状態が許可区間であるか否かが判定される。許可区間であると判定されない場合は処理を終了する。一方、許可区間であると判定された場合は、次のステップS22に進む。
ステップS22において、データ表示器へのボーナス遊技信号をＯＮにする。そして、次のステップS23に進む。
【０１３９】
ステップS23において、ボーナス遊技状態２が終了したか否かが判定される。ボーナス遊技状態２が終了したと判定された場合は、次のステップS24に進む。一方、ボーナス遊技状態２が終了したと判定されない場合は、再度ステップS23となる。
ステップS24において、データ表示器へのボーナス遊技信号をＯＦＦにする。そして、処理を終了する。
【０１４０】
（第２の実施の形態）
つぎに、図１８〜図２０を用いて、第２の実施の形態について説明する。
本実施の形態は、許可区間に、「チャンスゾーン」と「ＡＴ状態」を備えるようにしたものである。
以下、第１の実施の形態とは異なる点を中心に、第２の実施の形態に係る遊技機について説明する。
【０１４１】
図示しないが、役抽選手段210により抽選される役の種類について説明する。
リプレイ役には、ＲＴ２状態へ移行させるリプレイ役（例えば、第３リプレイ役）と、ＲＴ３状態へ移行させるためのリプレイ役（例えば、第４リプレイ役、いわゆる昇格リプレイ役）とが設けられる。
また、当選役グループとして、第３リプレイ役を含むリプレイ３、第４リプレイ役を含むリプレイ４と、複数のベル役を含む複数のベル、例えばベル５〜ベル１０が設けられている。
【０１４２】
ここで、リプレイ３は図１９を用いて後述する一般遊技状態（ＲＴ０状態）で抽選されるものであり、リプレイ４は一般遊技状態（ＲＴ２状態）で抽選されるものであり、ベル５〜ベル１０は一般遊技状態（ＲＴ０状態）、一般遊技状態（ＲＴ２状態）、ＲＴ３状態で抽選されるものである。
また、ベル５〜１０は、ストップスイッチ50の押し順が予め定められた順番で操作された場合は第１ベル役が入賞し、それ以外の順番で操作された場合はコボシ目が停止表示されるものである。
【０１４３】
そして、一般遊技状態（ＲＴ２状態）においてリプレイ４が当選し、第４リプレイ役に予め定められたストップスイッチ50の押し順で操作された場合に第４リプレイ役が成立することでＲＴ３状態に移行する。
【０１４４】
なお、リプレイ役として、成立した場合に一般遊技状態（ＲＴ０状態）へ移行する転落リプレイ役（例えば、第５リプレイ役）を設けても良い。そして、当選役グループとして第５リプレイ役を含むリプレイ５を設けても良い。ここで、リプレイ５は一般遊技状態（ＲＴ２状態）で抽選され、第５リプレイ役が成立することで一般遊技状態（ＲＴ２状態）から一般遊技状態（ＲＴ０状態）へ移行するようにしても良い。
【０１４５】
（メイン制御基板200）
メイン制御基板200は、図１８に示すように、役抽選手段210、リール制御手段220、停止図柄判定手段230、払出制御手段240、遊技制御手段250、許可区間制御手段260、外部送信手段270及び送信手段280の各手段を有する。
また、遊技制御手段250は、図１８に示すようにＲＴ制御手段400を有する。
【０１４６】
（ＲＴ制御手段400）
ＲＴ制御手段400は、「ＲＴ遊技」の進行を制御するものである。ここで、「ＲＴ遊技」は、本実施の形態では、図１８を用いて後述する「ＲＴ３」をいう。
【０１４７】
（許可区間制御手段260）
許可区間制御手段260は、図２０を用いて後述する「許可区間」を制御するものである。
そして、後述する演出制御手段320を用いてストップスイッチ50の押し順を報知させる演出等を実行させる。
また、許可区間制御手段260は、役抽選により予め定められた役、本実施の形態では、チャンス役に当選した際に「不許可区間」から「許可区間」への移行抽選（許可区間移行抽選）を行う。
【０１４８】
ここで、許可区間移行抽選の契機となる役、本実施の形態ではチャンス役の抽選確率は、図９に示すように、設定値による差がないように設定されている。
そして、許可区間移行抽選に当選した場合は「許可区間」のうち「チャンスゾーン」に移行する。
なお、「チャンスゾーン」に移行する場合に限定されず、「ＡＴ状態」へ移行するようにしても良い。
具体的には、許可区間制御手段260は、図１８に示すように、ＣＺ制御手段410及びＡＴ制御手段420の各手段を有する。
【０１４９】
（ＣＺ制御手段410）
ＣＺ制御手段410は、図２０を用いて後述する「許可区間」の「チャンスゾーン」を制御するものである。
【０１５０】
（ＡＴ制御手段420）
ＡＴ制御手段420は、図２０に示す「ＡＴ状態」中のＡＴ遊技を制御するものである。そして、演出制御手段330を用いてストップスイッチ50の押し順を報知させる演出等を実行させる。
【０１５１】
ＡＴ遊技は、いわゆる「アシストタイム」ともよばれ、当該ＡＴ遊技に移行すると、当選した小役の押し順が報知される遊技が開始され、報知された押し順に従ってストップスイッチ50を操作することで、当選した小役の図柄の組み合わせを停止表示させることができる。このため、成立した小役に対応する所定枚数のメダルが払い出される。また、ＡＴ遊技は、本実施の形態では、メイン制御基板200側で制御され、このとき、メイン制御基板200側のＲＴ制御手段400で制御される「ＲＴ遊技」に移行すると、「ＡＲＴ」状態となる。「ＡＲＴ」状態は、「ＲＴ遊技」で、且つ「ＡＴ遊技」の遊技状態をいう。
【０１５２】
また、ＡＴ遊技は、本実施の形態では、初期ゲーム数として５０ゲームの遊技が可能に設定されており、ＡＴ制御手段420は、消化したゲーム数が当該５０ゲームに到達した場合に、「ＡＴ遊技」を終了するように設定されている。
【０１５３】
なお、「ＡＴ遊技」を、メイン制御基板200側に配置したＡＴ制御手段420により制御したが、これに限定されず、「ＡＴ遊技」の全部又は一部をサブ制御基板300側で制御させても良い。
【０１５４】
（図１９を用いた遊技の状態の説明）
つぎに、図１９を用いて「遊技の状態」について説明する。
「遊技の状態」は、メイン制御基板200により管理され、図１９に示すように、大別すると、「一般遊技状態（ＲＴ０状態）」、「内部当選状態（ＲＴ１状態）」、「一般遊技状態（ＲＴ２状態）」、「ＲＴ３状態」及び「ボーナス遊技状態（ボーナス遊技状態１、ボーナス遊技状態２）」がある。
【０１５５】
（ＲＴ２状態）
ＲＴ２状態は、ＲＴ０状態と同様に一般遊技状態であり、ＲＴ０状態からＲＴ２状態には、図示しないが第３リプレイ役（ＲＴ２図柄）が成立した時に移行する。
なお、図示してはいないが、ＲＴ２状態においてボーナス移行役に当選した場合はボーナス遊技状態に移行する。
また、上述したようにボーナス遊技状態中は許可区間への移行抽選は行われないため、報知状態が不許可区間中にボーナス遊技状態に移行した場合は、不許可区間が許可区間へ移行することはなく、これに伴い昇格リプレイの押し順の報知も行われないためボーナス遊技状態終了後であってもボーナス遊技状態から直接ＲＴ３状態へ移行することはない。
【０１５６】
（ＲＴ３状態）
ＲＴ３状態は、ＲＴ制御手段400により制御され、「一般遊技状態」より再遊技役への当選確率の高い状態である。
ここで、「一般遊技状態」から「ＲＴ３状態」には、第４リプレイ役（ＲＴ３図柄）、いわゆる昇格リプレイ役が成立した時に移行する。例えば、昇格リプレイ役の押し順「正解」時に、ＲＴ３図柄を停止表示させた時に移行する。
また、「ＲＴ３」においてＲＴ０図柄（いわゆるコボシ目）を停止表示させると「ＲＴ０」に移行する。
【０１５７】
（図２０を用いた押し順報知の状態の説明）
図２０に示すように、押し順報知の状態（報知状態）は、「不許可区間」、「許可区間」がある。
そして、本実施の形態では、「許可区間」に、「チャンスゾーン」及び「ＡＴ状態」を備える。
【０１５８】
（チャンスゾーン）
チャンスゾーンは、不許可区間よりもＡＴ状態への移行の期待値が高い状態である。
チャンスゾーンにおいて所定の契機、例えば所定の役に当選した場合に、ＡＴ移行抽選が行われ、当選した場合はＡＴ状態に移行する。そしてＡＴ状態で昇格リプレイ役である第４リプレイ役の押し順を報知することで遊技状態がＲＴ３状態（図１９参照）になった状態をＡＲＴ状態という。チャンスゾーンの遊技区間中にＡＴ移行抽選に当選しなかった場合は、少なくとも１回の最大払出枚数が得られることとなる入賞に係る図柄の組合せに係る指示（押し順の報知）をすることを条件に不許可区間に移行する。
なお、ＡＴ移行抽選の契機となる役の抽選確率は、設定値による差がないように設定されている。
【０１５９】
（ＡＴ状態）
「ＡＴ状態」は、「不許可区間」より遊技者に有利な状態である。当該「ＡＴ状態」に移行すると、当選した小役の押し順が報知される遊技（ＡＴ）が開始され、報知された押し順に従ってストップスイッチ50を操作することで、当選した小役や再遊技役の図柄の組み合わせを停止表示させることができる。このため、成立した小役に対応する所定枚数のメダルが払い出される。
【０１６０】
「ＡＴ状態」の状態としては、「ＡＲＴ準備状態」、「ＡＲＴ状態」がある。
（ＡＲＴ準備状態）
「ＡＲＴ準備状態」は、遊技状態が、図１９の「ＲＴ２状態」である場合の「ＡＴ状態」であり、「ＲＴ２状態」で、「ＲＴ３状態」へ移行する役である第４リプレイ役（昇格リプレイ役）に当選した場合には、当該第４リプレイ役に対応したストップスイッチ50の押し順が報知される。そして、当該報知に従ってストップスイッチ50が操作された場合には、ＲＴ３移行図柄、いわゆる昇格リプレイ図柄が停止表示され、遊技状態が「ＲＴ３状態」に移行し、「ＡＲＴ状態」に移行する。
【０１６１】
（ＡＲＴ状態）
「ＡＲＴ状態」は、「不許可区間」より遊技者に有利な状態である。当該「ＡＲＴ状態」に移行すると、当選した小役の押し順が報知される遊技であるＡＴ状態と、ＲＴ３状態とが開始され、報知された押し順に従ってストップスイッチ50を操作することで、当選した小役の図柄の組み合わせを停止表示させることができる。このため、成立した小役に対応する所定枚数のメダルが払い出される。
また、「ＡＲＴ状態」中は、ＡＴ状態の遊技区間、本実施の形態では、ＡＴ状態のゲーム数に上乗せするか否か、及び上乗せする場合の上乗せゲーム数を抽選により決定する上乗せ抽選が行われる。
【０１６２】
「ＡＲＴ状態（ＡＴ状態）」は、所定のゲーム数を消化すると、ＡＴ状態を終了させ、「不許可区間」へ戻る。ＡＴ状態が終了すると、ストップスイッチ50の押し順の報知が終了され、これに伴い、コボシ目を表示した場合に、遊技状態がＲＴ０状態に移行し、ＲＴが終了する。すなわち、コボシ目は、左第一停止、中第一停止が不正解の役に当選し、押し順「不正解」（ストップスイッチ50を左第一停止、中第一停止で操作）した際に停止表示される図柄61である。ＡＴが終了しているため押し順の報知が行われず、遊技者はストップスイッチ50を左第一停止で操作するため、ベル役に当選してもコボシ目が停止表示され、ＲＴ０状態に移行する。
【０１６３】
また、図示しないがＡＲＴ状態中に行われるＡＲＴストック抽選に当選している場合は、ＡＲＴ状態終了後、再度ＡＲＴ準備状態に移行し、その後、ＡＲＴ状態に移行する。
なお、ＡＲＴストック抽選に当選している場合は、ＡＲＴ状態を終了せず、そのまま継続してもよい。
【０１６４】
また、「ＡＴ状態」のゲーム数を消化する前に、「許可区間」の開始から１５００ゲーム消化していた場合は、「ＡＴ状態」のゲーム数の消化を待たずに「ＡＴ状態」を終了し、「不許可区間」へ移行する。
【０１６５】
また、本実施の形態では、許可区間中の、チャンスゾーン、ＡＴ準備状態、ＡＲＴ状態に滞在している場合であっても、ボーナス移行役に当選可能であり、ボーナス移行役に入賞することで、各状態の途中からボーナス遊技状態１，２に移行する。
そして、ボーナス遊技状態１，２が終了した場合は、チャンスゾーンやＡＲＴ状態に滞在していた場合は、途中、例えば残りゲーム数からチャンスゾーンやＡＲＴ状態を再開しても良いし、最初からチャンスゾーンやＡＲＴ状態を再開しても良い。また、ＡＴ準備状態に滞在していた場合は、ＡＴ準備状態がＡＲＴ遊技の上乗せゲーム数などの恩恵を獲得できる状態であった場合は、当該恩恵を引き継いでＡＴ準備状態を再開しても良いし、当該恩恵を破棄してＡＴ準備状態を再開しても良い。
また、許可区間中の、チャンスゾーン、ＡＴ準備状態、ＡＲＴ状態に滞在している場合に、ボーナス遊技状態１，２へ移行すると、レギュラーボーナス実行中の外部出力信号が外部集中端子板18からデータ表示器に出力され、又、ボーナス遊技状態１，２終了後、ＡＲＴ状態が開始されると、ＡＲＴ実行中の外部出力信号が外部集中端子板18からデータ表示器に出力される。
【０１６６】
また、図柄表示窓部16の下方には、図示しないが、「許可区間」に滞在していることを報知する区間報知ランプが設けられている。
この区間報知ランプは、押し順報知の状態が「不許可区間」から「許可区間」に移行したことを契機にメイン制御基板200により点灯され、押し順報知の状態が「許可区間」である間は常時点灯されている。
そして、区間報知ランプは、押し順の報知状態が「許可区間」から「不許可区間」に移行したことを契機にメイン制御基板200により消灯される。
そのため、許可区間であることを外部へ報知している区間報知ランプ点灯状態でボーナス遊技状態１，２へ移行する場合と、許可区間でないことを外部へ報知している区間報知ランプ消灯状態でボーナス遊技状態１，２へ移行する場合と、が存在することとなる。
ここで、区間報知ランプの点灯制御は、メイン制御基板200に搭載されている制御手段により制御されることが望ましく、許可区間を制御する許可区間制御手段260により実行する、或いは、当該点灯制御を実行する専用の区間報知制御手段を設けて実行する、ことが可能である。
【０１６７】
（実施の形態の補足的な説明）
上記実施の形態１，２は、以下の技術思想を包含する特徴点を含むものである。
（１）特徴点１
（１−１）構成
本発明に係る遊技機は、複数の図柄を変動表示可能な複数の回転リールと、前記回転リールの図柄の変動表示を開始させるためのスタートスイッチと、前記複数の回転リールの各々に対応して設けられ、前記複数の回転リールの図柄の変動表示の開始後、遊技者の操作により前記回転リールの図柄の変動表示を停止させるための複数のストップスイッチと、役に当選するか否かの役抽選を行う役抽選手段と、通常の遊技が行われる一般遊技状態と、前記一般遊技状態から移行可能な特別遊技状態と、前記役抽選により予め定められた押し順で前記ストップスイッチの操作がされた場合に入賞となる押し順役に当選した場合に、当該押し順を遊技者に報知不可能な不許可区間と、前記不許可区間から移行可能であり、当該押し順を遊技者に報知可能な許可区間と、遊技機の状況を示す情報を遊技機外部に送信する外部送信手段とを備え、前記外部送信手段は、前記許可区間中に前記一般遊技状態から前記特別遊技状態へ移行した場合は、当該特別遊技状態を実行中であることを示す情報を遊技機外部に送信し、前記不許可区間中に前記一般遊技状態から前記特別遊技状態へ移行した場合は、当該特別遊技状態を実行中であることを示す情報を遊技機外部に送信しないようにしていることを特徴とする。
【０１６８】
（１−２）用語の定義と実施の形態との対応関係
ここで、「特別遊技状態」には、ボーナスなどの遊技状態を含むが、これに限定されない。
また、「特別遊技状態」は、１種類ではなく、複数種類、ボーナス遊技状態１とボーナス遊技状態２と、を設けられても良い。この場合には、全ての「特別遊技状態」において本発明のような情報の送信制御を採用しても良いし、一部の「特別遊技状態」、ボーナス遊技状態２において本発明のような情報の送信制御を採用するようにしても良い。
【０１６９】
また、「特別遊技状態を実行中であることを示す情報を遊技機外部に送信する」には、特別遊技状態中であるときに特別遊技状態を実行中であることを示す情報を遊技機外部への送信を連続的・断続的に継続することが含まれる。また、特別遊技状態中以外で情報を送信し、特別遊技状態中では情報を送信しないことで特別遊技状態を実行中であることを示す場合には、特別遊技状態を実行中であることを示す情報を遊技機外部に送信しないようにすることも含む。
【０１７０】
また、「特別遊技状態を実行中であることを示す情報を遊技機外部に送信しない」には、特別遊技状態中であるときに特別遊技状態を実行中であることを示す情報を遊技機外部へ一切出力しないことが含まれる。また、特別遊技状態中以外で情報を送信し、特別遊技状態中では情報を送信しないことで特別遊技状態を実行中であることを示す場合には、情報を送信することで特別遊技状態を実行中であることを示す場合には、遊技機外部に送信するようにすることも含む。
【０１７１】
また、「一般遊技状態から特別遊技状態へ移行した」には、一般遊技状態でも特別遊技状態でもない他の遊技状態（例えば内部当選遊技状態）を介することなく、一般遊技状態の最後の遊技の次の遊技から特別遊技状態が開始された、ことが望ましいが、他の遊技状態を介して移行する場合も含む。
また、「特別遊技状態を実行中であることを示す情報」は、本実施の形態における「ボーナス遊技状態２」に滞在しているときの「レギュラーボーナス実行中」の信号が対応する。
【０１７２】
（１−３）作用効果
特徴点１によれば、同一の特別遊技状態であっても、特別遊技状態を実行中であることを示す情報を遊技機外部に送信する場合と、送信しない場合とを分けることで、所定の場合は特別遊技状態の遊技の履歴を残さないようにすることが可能な遊技機を提供することができる。
すなわち、不許可区間中に特別遊技状態へ移行した場合は、特別遊技状態として扱わず、遊技機に接続されたデータ表示器などに特別遊技状態の実行回数に関する履歴を残さないようにしている。そのため、後でデータ表示器を見たとしても特別遊技状態の実行回数が分からず、設定値の推測を困難にすることが可能となる。
【０１７３】
また、本発明では、不許可区間に滞在しているのか、許可区間に滞在しているのか、の情報を「遊技機の状況を示す情報」として記憶している。しかし、ホールコンピュータやデータ表示器などが、不許可区間や許可区間という区分に対応していない可能性（信号を受信すると誤ってカウントされる恐れ）がある。このため、「遊技機の状況を示す情報」として「不許可区間」「許可区間」を出力し、これらの情報に基づいて外部機器側で、ボーナス遊技状態としてカウントするか否かを正確に判断することができない可能性がある。この様な外部機器が設置されている遊技店であっても、本発明では、遊技機側でボーナス信号をコントロールしているため、設置することができる。
【０１７４】
（２）特徴点２
（２−１）構成
また、本発明に係る遊技機の具体例としては、さらに、前記不許可区間中に前記一般遊技状態から移行した前記特別遊技状態中は、当該不許可区間から前記許可区間へは移行しないようにしていることを特徴とする。
【０１７５】
また、本発明では、特別遊技状態が「許可区間中に一般遊技状態から移行した特別遊技状態である」場合、当該特別遊技状態において、情報を外部出力する許可区間から、信号を外部出力しない不許可区間へ移行しないようにする、すなわち、転落抽選が行われないことが望ましい。これにより、許可区間中であると遊技機外部へ情報が出力されているため、外部機器側で「１回」とカウントする特別遊技状態を同じ特別遊技状態で揃える（全て許可区間の特別遊技状態と、許可区間＋不許可区間の特別遊技状態とが、同じ特別遊技状態としてカウントされることを回避する）ことができる。
【０１７６】
（２−２）作用効果
特徴点２によれば、特別遊技状態中に不許可区間から許可区間へは移行させないようにして、実行中の特別遊技状態の途中で遊技機外部への特別遊技状態中であることを示す情報を送信することを防ぐことが可能な遊技機を提供することができる。
また、不許可区間から許可区間へ移行しないため、不許可区間中に開始された特別遊技状態を不許可区間として維持し、特別遊技状態の途中から許可区間へ変更させないようにすることが可能となる。
【０１７７】
（３）特徴点３
（３−１）構成
また、本発明に係る遊技機の具体例としては、さらに、前記一般遊技状態中に行われた前記役抽選により予め定められた特別役に当選し、当該特別役に対応した図柄が予め定められた有効ライン上に停止表示された場合に、前記特別遊技状態に移行可能に設定されるとともに、当該特別役に対応した図柄が予め定められた有効ライン上に停止表示されなかった場合に、当該特別役の当選情報を次遊技以降に持ち越し可能に形成され、前記特別役は、複数種類設けられ、当該複数種類の特別役の少なくとも１個の特別役に対応した図柄は、前記ストップスイッチの操作タイミングを問わず前記有効ライン上に停止表示可能に前記回転リールに配列されていることで、前記特別役の当選情報を次遊技以降に持ち越すことがないように設定されていることを特徴とする。
【０１７８】
（３−２）作用効果
特徴点３によれば、役抽選により特別役に当選した場合は、必ず対応した図柄を停止表示させて入賞させることができ、次遊技から特別遊技状態に移行させることが可能な遊技機を提供することができる。
【０１７９】
すなわち、本発明では、当選情報を持ち越すことがないように設定された特別役に当選すると、内部当選状態を経ることなく、当該特別役に当選した遊技の次の遊技から特別遊技状態へ移行させる、とすることも可能である。
ここで、内部当選状態では、役抽選における再遊技役の当選確率を一般遊技状態よりも高く設定することで、特別役に対応した図柄が有効ライン86上に揃うまでの、遊技者の損失を軽減することができる。
しかし、この様な場合、一般遊技状態よりも再遊技役が頻繁に成立するため、遊技者に内部当選状態に滞在していること、引いては特別遊技状態への移行が察知される恐れがある。すると、特別遊技状態へ移行されるのに、外部機器側でボーナスがカウントされない状況になるため、遊技者が不信感を抱くことになりかねない。
この様な事態を避けるため、外部へ送信しない今回の特別遊技状態では、特別遊技状態への移行が遊技者に察知される要因となる内部当選状態を発生させずに、特別遊技状態へ速やかに移行させことで、特別遊技状態へ移行したにもかかわらず、外部機器（データ表示器）側でカウントされない状況であっても、そもそも遊技者に察知され難いため、不信感を与えることがないようにしている。
【０１８０】
（４）特徴点４
（４−１）構成
また、本発明に係る遊技機の具体例としては、さらに、前記役抽選手段は、複数段階の設定値毎に予め定められた抽選確率で役に当選するか否かの役抽選を行い、前記役抽選手段による前記特別役の抽選確率は、前記設定値の段階が高いほど、高くなるように設定されていることを特徴とする。
【０１８１】
（４−２）作用効果
特徴点４によれば、設定値の段階が高いほど特別役に当選されやすくすることができ、特別遊技状態に移行しやすくすることが可能な遊技機を提供することができる。
すなわち、特別遊技状態を実行可能な遊技区間に設定値による差を設けない場合であっても、特別遊技状態への移行に設定値による差を設けることが可能となる。
【０１８２】
（５）特徴点５
（５−１）構成
また、本発明に係る遊技機の具体例としては、複数の図柄を変動表示可能な複数の回転リールと、前記回転リールの図柄の変動表示を開始させるためのスタートスイッチと、前記複数の回転リールの各々に対応して設けられ、前記複数の回転リールの図柄の変動表示の開始後、遊技者の操作により前記回転リールの図柄の変動表示を停止させるための複数のストップスイッチと、役に当選するか否かの役抽選を行う役抽選手段と、通常の遊技が行われる一般遊技状態と、前記一般遊技状態から移行可能な特別遊技状態と、前記役抽選により予め定められた押し順で前記ストップスイッチの操作がされた場合に入賞となる押し順役に当選した場合に、当該押し順を遊技者に報知不可能な不許可区間と、前記不許可区間から移行可能であり、当該押し順を遊技者に報知可能な許可区間と、遊技機の状況を示す情報を遊技機外部に送信する外部送信手段とを備え、前記外部送信手段は、前記許可区間中に前記一般遊技状態から前記特別遊技状態へ移行した場合は、当該特別遊技状態を実行中であることを示す情報を遊技機外部に送信し、前記不許可区間中に前記一般遊技状態から前記特別遊技状態へ移行した場合は、当該特別遊技状態を実行中であることを示す情報を遊技機外部に送信しないようにしており、前記役抽選手段は、複数段階の設定値毎に予め定められた抽選確率で役に当選するか否かの役抽選を行い、前記役抽選手段による予め定められた特別役の抽選確率は、複数段階の前記設定値のうち、少なくとも１部の設定値の段階では、当該設定値の段階によって差が設けられており、前記不許可区間から前記許可区間へは、前記役抽選により、前記設定値による差が設けられていない抽選確率が設定されている役に当選したことに基づいて移行が決定され、前記許可区間は、少なくとも規定の遊技区間を消化することにより終了し、前記規定の遊技区間を消化する前に、前記設定による差が設けられていない所定の抽選に基づいて当該許可区間を終了して前記許可区間から前記不許可区間へ移行するように設定されており、前記許可区間中であり、且つ前記一般遊技状態中では、遊技者に特典を付与する特典付与抽選が可能に設定されていることを特徴とする。
【０１８３】
（５−２）用語の定義と実施の形態との対応関係
ここで、「特別遊技状態」には、ボーナスなどの遊技状態を含むが、これに限定されない。
また、「特別遊技状態」は、１種類ではなく、複数種類、ボーナス遊技状態１とボーナス遊技状態２と、を設けられても良い。この場合には、全ての「特別遊技状態」において本発明のような情報の送信制御を採用しても良いし、一部の「特別遊技状態」、ボーナス遊技状態２において本発明のような情報の送信制御を採用するようにしても良い。
【０１８４】
また、「特別遊技状態を実行中であることを示す情報を遊技機外部に送信する」には、特別遊技状態中であるときに特別遊技状態を実行中であることを示す情報を遊技機外部への送信を連続的・断続的に継続することが含まれる。また、特別遊技状態中以外で情報を送信し、特別遊技状態中では情報を送信しないことで特別遊技状態を実行中であることを示す場合には、特別遊技状態を実行中であることを示す情報を遊技機外部に送信しないようにすることも含む。
【０１８５】
また、「特別遊技状態を実行中であることを示す情報を遊技機外部に送信しない」には、特別遊技状態中であるときに特別遊技状態を実行中であることを示す情報を遊技機外部へ一切出力しないことが含まれる。また、特別遊技状態中以外で情報を送信し、特別遊技状態中では情報を送信しないことで特別遊技状態を実行中であることを示す場合には、情報を送信することで特別遊技状態を実行中であることを示す場合には、遊技機外部に送信するようにすることも含む。
【０１８６】
また、「一般遊技状態から特別遊技状態へ移行した」には、一般遊技状態でも特別遊技状態でもない他の遊技状態（例えば内部当選遊技状態）を介することなく、一般遊技状態の最後の遊技の次の遊技から特別遊技状態が開始された、ことが望ましいが、他の遊技状態を介して移行する場合も含む。
【０１８７】
また、「前記設定値による差が設けられていない抽選確率が設定されている役に当選したことに基づいて」には、当該役に当選した際に行われる移行抽選に当選した場合や、当該役に当選すると移行抽選をすることなく移行が決定される場合が含まれが、これに限定されない。
また、「規定の遊技区間」には、所定のゲーム数、例えば１５００ゲームが含まれるが、これに限定されない。
また、「前記設定による差が設けられていない所定の抽選に基づいて」には、役抽選の結果を参照しない抽選に基づいて不許可区間に移行する場合や、設定値による差が設けられていない抽選確率が設定されている役の当選を契機に実行される抽選、例えば転落抽選の結果に基づいて不許可区間に移行する場合も含むが、これに限定されない。
また、「特典付与抽選」には、チャンスゾーンからＡＴ状態への移行抽選や、ＡＴ遊技の初期ゲーム数獲得抽選などが含まれるが、これに限定されない。
【０１８８】
（５−３）作用効果
特徴点６によれば、設定値がどの段階の設定値に設定されている場合であっても、許可区間への移行や終了は影響を受けないことになり、一定の安定した利益を受けることが可能となるとともに、許可区間中は特別遊技状態への移行に設定値の影響を受けるため、遊技機選択を楽しむことができ、次の日も来店する動機付けとすることが可能な遊技機を提供することができる。
【０１８９】
（６）特徴点６
（６−１）構成
また、本発明に係る遊技機の具体例としては、さらに、前記役抽選により当選した役に対応した図柄が、予め定められた有効ライン上に停止表示された場合に利益を付与する利益付与手段を備え、前記押し順役には、前記利益付与手段により付与される利益の異なる役が含まれ、前記特別遊技状態は、前記役抽選により前記押し順役に当選し、当該押し順役に対応した図柄が予め定められた有効ライン上に所定回数停止表示されることにより終了するように設定されていることを特徴とする。
【０１９０】
（６−２）作用効果
特徴点６によれば、特別遊技状態を実行可能な遊技区間をゲーム数ではなく、入賞回数により管理することが可能な遊技機を提供することができる。
すなわち、特別遊技状態であり且つ許可区間である場合では、押し順役の当選時にストップスイッチの押し順が報知されることにより、より多くの利益を得られる役の入賞の可能性が高くなるが、特別遊技状態ではあるが許可区間ではない場合は、押し順役に当選した場合であってもストップスイッチの押し順が報知されることはなく、多くの利益を得られる役の入賞の可能性が低くなり、遊技区間は同じであっても、遊技者が得られる利益に差を生じさせることが可能となる。
【符号の説明】
【０１９１】
（第１の実施の形態）
10  遊技機                          12  筐体
14  前扉                            16  図柄表示窓部
17  メダルセレクタ                  18  外部集中端子板
19  扉開閉用スイッチ                20  上パネル
22  下パネル                        24  ホッパーユニット
26  メダル受け皿                    28  メダル払出口
30  操作部                          32  ベットスイッチ
34  マックスベットスイッチ          35  シングルベットスイッチ
36  精算スイッチ                    38  メダル投入口
40  スタートスイッチ                42  演出用ボタンスイッチ
43  電源ユニット                    44  電源スイッチ
45  設定キースイッチ                46  設定変更スイッチ
50  ストップスイッチ                Ｌ  左ストップスイッチ
Ｃ  中ストップスイッチ              Ｒ  右ストップスイッチ
60  リールユニット                  61  図柄
62  回転リール                      63  リール位置センサ
64  左回転リール                    65  リール駆動モータ
66  中回転リール                    67  バックランプ
68  右回転リール                    70  演出装置
72  スピーカー                      74  上部スピーカー
76  下部スピーカー                  78  演出用ランプ
80  上部ランプ                      82  下部ランプ
84  表示装置                        86  有効ライン
87  クレジット表示器                88  払出枚数表示器
89  設定表示器                      92  投入センサ
94  払出センサ                      95  ホッパーモータ
96  オーバーフローセンサ            100  制御装置
200  メイン制御基板                 210  役抽選手段
220  リール制御手段                 230  停止図柄判定手段
240  払出制御手段                   250  遊技制御手段
251  一般遊技状態制御手段           252  内部当選状態制御手段
253  ボーナス遊技状態制御手段       260  許可区間制御手段
270  外部送信手段                   280  送信手段
300  サブ制御基板                   310  受信手段
320  演出制御手段
（第２の実施の形態）
400  ＲＴ制御手段
410  ＣＺ制御手段                   420  ＡＴ制御手段
【図１】
2018114114.tif 000003
【図２】
2018114114.tif 000004
【図３】
2018114114.tif 000005
【図４】
2018114114.tif 000006
【図５】
2018114114.tif 000007
【図６】
2018114114.tif 000008
【図７】
2018114114.tif 000009
【図８】
2018114114.tif 000010
【図９】
2018114114.tif 000011
【図１０】
2018114114.tif 000012
【図１１】
2018114114.tif 000013
【図１２】
2018114114.tif 000014
【図１３】
2018114114.tif 000015
【図１４】
2018114114.tif 000016
【図１５】
2018114114.tif 000017
【図１６】
2018114114.tif 000018
【図１７】
2018114114.tif 000019
【図１８】
2018114114.tif 000020
【図１９】
2018114114.tif 000021
【図２０】
2018114114.tif 000022